(57)【要約】【課題】制御機能が限定的な基地局を経由して確立される論理経路の制御を実現する。【解決手段】無線通信システムＣＳが、ユーザ装置ＵＥと第１基地局ｅＮＢと第２基地局ＰｈＮＢと交換局ＭＭＥとゲートウェイ装置ＧＷとを備える。第１基地局ｅＮＢを経由してユーザプレーン経路が確立されている場合のハンドオーバ動作において、第１基地局ｅＮＢが、第２基地局ＰｈＮＢとユーザ装置ＵＥとに無線ベアラＲＢを確立することを指示する無線接続再設定メッセージをユーザ装置ＵＥに送信すると共に、ユーザ装置ＵＥから送信された無線接続再設定完了メッセージを受信する。第１基地局ｅＮＢは、確立されたユーザプレーン経路を第２基地局ＰｈＮＢを経由するように変更することを要求する経路変更要求メッセージを交換局ＭＭＥに送信する。【選択図】図４
2014007499.tif 000002
【特許請求の範囲】
【請求項１】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第１基地局を経由して前記ユーザ装置と前記ゲートウェイ装置とにユーザプレーン経路が確立されている場合に、
前記第１基地局は、前記ユーザ装置から受信した、前記第２基地局が送信する電波に関する測定報告メッセージに基づき、前記ユーザ装置を前記第２基地局へハンドオーバさせるべきか否かを判定し、
ハンドオーバさせるべきと判定したときに、
前記第１基地局は、前記ユーザ装置を前記第２基地局にハンドオーバさせることを要求するハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記第２基地局の識別情報を含み、前記第１基地局を経由して前記ユーザ装置と前記ゲートウェイ装置とに確立された前記ユーザプレーン経路を前記第２基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信する
無線通信システム。
【請求項２】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第１基地局を経由して前記ユーザ装置と前記ゲートウェイ装置とにユーザプレーン経路が確立されている場合に、
前記第１基地局は、前記ユーザ装置から受信した、前記第２基地局が送信する電波に関する測定報告メッセージに基づき、前記ユーザ装置を前記第２基地局へハンドオーバさせるべきか否かを判定し、
ハンドオーバさせるべきと判定したときに、
前記第１基地局は、前記ユーザ装置を前記第２基地局にハンドオーバさせることを要求するハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記第２基地局を制御して、前記第１基地局を経由して前記ユーザ装置と前記ゲートウェイ装置とに確立された前記ユーザプレーン経路を前記第２基地局を経由するように変更することを要求する経路変更要求メッセージを前記交換局に送信させ、
前記交換局は、前記第２基地局から受信した前記経路変更要求メッセージを、前記ゲートウェイ装置に送信し、
前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第２基地局に送信し、
前記第２基地局は、前記経路変更要求確認応答メッセージを受信すると、経路変更が完了したことを示すメッセージを前記第１基地局に送信する
無線通信システム。
【請求項３】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第１基地局が送信する電波に関する測定報告メッセージに基づき、前記ユーザ装置を前記第１基地局へハンドオーバさせるべきか否かを判定し、
ハンドオーバさせるべきと判定したときに、
前記第１基地局は、前記ユーザ装置を前記第１基地局にハンドオーバさせることを要求するハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、前記第１基地局と前記ユーザ装置とに無線ベアラを確立することを指示する無線接続再設定メッセージを前記ユーザ装置に送信し、
前記ユーザ装置は、前記無線接続再設定メッセージに従って、前記第１基地局への無線ベアラを確立するように当該ユーザ装置を設定した後、無線接続再設定完了メッセージを前記第１基地局に送信し、
前記第１基地局は、前記第１基地局の識別情報を含み、前記第２基地局を経由して前記ユーザ装置と前記ゲートウェイ装置とに確立された前記ユーザプレーン経路を前記第１基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第１基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記第２基地局を介して確立されていた前記ユーザプレーン経路に関する情報を削除することを指示するコンテキスト解放メッセージを前記第２基地局に送信し、
前記第２基地局は、当該第２基地局を介して確立されていた前記ユーザプレーン経路に関する情報を削除する
無線通信システム。
【請求項４】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局および第３基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第３基地局が送信する電波に関する測定報告メッセージに基づき、前記ユーザ装置を前記第３基地局にハンドオーバさせるべきか否かを判定し、
ハンドオーバさせるべきと判定したときに、
前記第１基地局は、前記ユーザ装置が無線接続中の前記第２基地局の識別情報を含み、前記ユーザ装置を前記第３基地局にハンドオーバさせることを要求する、第３基地局に対するハンドオーバ要求メッセージを前記第３基地局に送信し、
前記第３基地局は、前記第３基地局に対するハンドオーバ要求メッセージを受信すると、前記ユーザ装置を前記第３基地局にハンドオーバさせることを要求する、第２基地局に対するハンドオーバ要求メッセージを前記第２基地局に送信し、
前記第２基地局は、前記第２基地局に対するハンドオーバ要求メッセージを受信すると、第３基地局に対するハンドオーバ要求確認応答メッセージを前記第３基地局に送信し、
前記第３基地局は、前記第３基地局に対するハンドオーバ要求確認応答メッセージを受信すると、第１基地局に対するハンドオーバ要求確認応答メッセージを前記第１基地局に送信し、
前記第１基地局は、前記第１基地局に対するハンドオーバ要求確認応答メッセージを受信すると、前記第３基地局と前記ユーザ装置とに無線ベアラを確立することを指示する無線接続再設定メッセージを前記ユーザ装置に送信し、
前記ユーザ装置は、前記無線接続再設定メッセージに従って、前記第３基地局への無線ベアラを確立するように当該ユーザ装置を設定した後、無線接続再設定完了メッセージを前記第１基地局に送信し、
前記第１基地局は、前記第３基地局の識別情報を含み、前記第２基地局を経由して前記ユーザ装置と前記ゲートウェイ装置とに確立された前記ユーザプレーン経路を前記第３基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第３基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記交換局から受信した前記経路変更要求確認応答メッセージを前記第２基地局に送信し、
前記第２基地局は、当該第２基地局を介して確立されていた前記ユーザプレーン経路に関する情報を削除する
無線通信システム。
【請求項５】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局および第３基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第３基地局が送信する電波に関する測定報告メッセージに基づき、前記ユーザ装置を前記第３基地局にハンドオーバさせるべきか否かを判定し、
ハンドオーバさせるべきと判定したときに、
前記第１基地局は、前記ユーザ装置が無線接続中の前記第２基地局の識別情報および前記ゲートウェイ装置の識別情報を含み、前記ユーザ装置を前記第３基地局にハンドオーバさせることを要求する、第３基地局に対するハンドオーバ要求メッセージを前記第３基地局に送信し、
前記第３基地局は、前記第３基地局に対するハンドオーバ要求メッセージを受信すると、ハンドオーバ要求確認応答メッセージを前記第１基地局に送信し、
前記第１基地局は、前記第３基地局からの前記ハンドオーバ要求確認応答メッセージを受信すると、前記第３基地局の識別情報を含み、前記ユーザ装置を前記第３基地局にハンドオーバさせることを要求する、第２基地局に対するハンドオーバ要求メッセージを前記第２基地局に送信し、
前記第２基地局は、前記第２基地局に対するハンドオーバ要求メッセージを受信すると、ハンドオーバ要求確認応答メッセージを前記第１基地局に送信し、
前記第１基地局は、前記第２基地局からの前記ハンドオーバ要求確認応答メッセージを受信すると、前記第３基地局と前記ユーザ装置とに無線ベアラを確立することを指示する無線接続再設定メッセージを前記ユーザ装置に送信し、
前記ユーザ装置は、前記無線接続再設定メッセージに従って、前記第３基地局への無線ベアラを確立するように当該ユーザ装置を設定した後、無線接続再設定完了メッセージを前記第１基地局に送信し、
前記第１基地局は、前記第３基地局の識別情報を含み、前記第２基地局を経由して前記ユーザ装置と前記ゲートウェイ装置とに確立された前記ユーザプレーン経路を前記第３基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第３基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記交換局から受信した前記経路変更要求確認応答メッセージを前記第２基地局に送信し、
前記第２基地局は、当該第２基地局を介して確立されていた前記ユーザプレーン経路に関する情報を削除する
無線通信システム。
【請求項６】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局および第３基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第３基地局が送信する電波に関する測定報告メッセージに基づき、前記ユーザ装置を前記第３基地局にハンドオーバさせるべきか否かを判定し、
ハンドオーバさせるべきと判定したときに、
前記第１基地局は、前記第３基地局の識別情報を含み、前記ユーザ装置を前記第３基地局にハンドオーバさせることを要求する、第２基地局に対するハンドオーバ要求メッセージを前記第２基地局に送信し、
前記第２基地局は、前記第２基地局に対するハンドオーバ要求メッセージを受信すると、前記ゲートウェイ装置の識別情報を含み、前記ユーザ装置を前記第３基地局にハンドオーバさせることを要求する、第３基地局に対するハンドオーバ要求メッセージを前記第３基地局に送信し、
前記第３基地局は、前記第３基地局に対するハンドオーバ要求メッセージを受信すると、第２基地局に対するハンドオーバ要求確認応答メッセージを前記第２基地局に送信し、
前記第２基地局は、前記第２基地局に対するハンドオーバ要求確認応答メッセージを受信すると、第１基地局に対するハンドオーバ要求確認応答メッセージを前記第１基地局に送信し、
前記第１基地局は、前記第１基地局に対するハンドオーバ要求確認応答メッセージを受信すると、前記第３基地局と前記ユーザ装置とに無線ベアラを確立することを指示する無線接続再設定メッセージを前記ユーザ装置に送信し、
前記ユーザ装置は、前記無線接続再設定メッセージに従って、前記第３基地局への無線ベアラを確立するように当該ユーザ装置を設定した後、無線接続再設定完了メッセージを前記第１基地局に送信し、
前記第１基地局は、前記第３基地局の識別情報を含み、前記第２基地局を経由して前記ユーザ装置と前記ゲートウェイ装置とに確立された前記ユーザプレーン経路を前記第３基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第３基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記交換局から受信した前記経路変更要求確認応答メッセージを前記第２基地局に送信し、
前記第２基地局は、当該第２基地局を介して確立されていた前記ユーザプレーン経路に関する情報を削除する
無線通信システム。
【請求項７】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記ゲートウェイの識別情報を含む初期コンテキスト設定要求メッセージを前記第２基地局に送信し、
前記第２基地局は、前記初期コンテキスト設定要求メッセージを受信すると、当該第２基地局の識別情報を含む初期コンテキスト設定応答メッセージを前記第１基地局に送信し、
前記第１基地局は、前記初期コンテキスト設定応答メッセージを受信すると、前記第２基地局の識別情報を含むベアラ確立応答メッセージを前記交換局に送信し、
前記交換局は、前記ベアラ確立応答メッセージを受信すると、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【請求項８】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記ゲートウェイ装置の識別情報を含むハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、当該第１基地局の識別情報を含むベアラ確立応答メッセージを前記交換局に送信し、その後、前記第２基地局を経由して前記ユーザ装置と前記ゲートウェイ装置とにユーザプレーン経路を確立することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【請求項９】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記ゲートウェイ装置の識別情報を含むハンドオーバ要求メッセージを前記第２基地局に送信し、
前記第２基地局は、前記ハンドオーバ要求メッセージを受信すると、ハンドオーバ要求確認応答メッセージを前記第１基地局に送信し、その後、前記第２基地局を経由して前記ユーザ装置と前記ゲートウェイ装置とにユーザプレーン経路を確立することを要求する経路変更要求メッセージを前記交換局に送信し、
前記第１基地局は、前記ハンドオーバ要求確認応答メッセージを受信すると、当該第１基地局の識別情報を含むベアラ確立応答メッセージを前記交換局に送信し、
前記交換局は、前記第２基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第２基地局に送信し、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【請求項１０】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記第２基地局の識別情報を含み、前記第２基地局を経由して前記ユーザ装置と前記ゲートウェイ装置とに前記ユーザプレーン経路を確立することを指示する、ベアラリダイレクトメッセージを前記交換局に送信し、
前記交換局は、前記ベアラリダイレクトメッセージを受信すると、前記ゲートウェイ装置の識別情報を含む初期コンテキスト設定要求メッセージを前記第２基地局に送信し、
前記第２基地局は、前記初期コンテキスト設定要求メッセージを受信すると、初期コンテキスト設定応答メッセージを前記交換局に送信し、
前記交換局は、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【発明の詳細な説明】
【技術分野】
【０００１】
本発明は、無線通信システムに関する。
【背景技術】
【０００２】
３ＧＰＰ（Third Generation Partnership Project）規格に従う様々な無線通信システムが活用されている。３ＧＰＰに規定されるＬＴＥ／ＳＡＥ（Long Term Evolution / System Architecture Evolution）規格に従う無線通信システムにおいては、ユーザデータの通信に使用される論理的な通信経路（ユーザプレーン経路）が、交換局（Mobility Management Entity，ＭＭＥ）による制御に応じて確立される。確立されたユーザプレーン経路は、交換局による制御に応じて経路変更され得る。以上のユーザプレーン経路の制御は、制御データの通信に使用される論理的な通信経路（制御プレーン経路）を介して実行される。
【０００３】
従来のＬＴＥ規格に従う無線通信システムにおいては、ユーザ装置と直接に無線通信可能な無線基地局としてｅＮＢ（evolved Node B）が利用される。ｅＮＢは、交換局、他のｅＮＢ、およびユーザ装置への制御プレーン経路を有する。ユーザ装置が新たにユーザデータ通信を開始する際、ｅＮＢは、制御プレーン経路を介して交換局から送信される制御メッセージに従って、そのユーザ装置が使用するユーザプレーン経路を確立するように動作する。また、ユーザ装置が他のｅＮＢが形成するセルへと移動する際、現在接続中のｅＮＢは、制御プレーン経路を介してユーザ装置および他のｅＮＢと制御メッセージを送受信し、そのユーザ装置を他のｅＮＢへハンドオーバさせるように動作する。
【先行技術文献】
【非特許文献】
【０００４】
【非特許文献１】3GPP TS 36.300 V10.6.0 (2011-12), 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 10)
【発明の概要】
【発明が解決しようとする課題】
【０００５】
以上のようなｅＮＢに加えて、無線通信システムが、制御プレーン経路の一部（例えば、ユーザ装置に対する制御プレーン経路、交換局に対する制御プレーン経路）を有さない基地局（制御機能が限定的な基地局）を備えることを想定する。ユーザ装置に対する制御プレーン経路を有さない基地局は、ユーザ装置と直接的に制御メッセージを送受信できない。また、交換局に対する制御プレーン経路を有さない基地局は、交換局と直接的に制御メッセージを送受信できない。したがって、従来のＬＴＥ規格に従う無線通信システムによれば、制御機能が限定的な基地局を経由してユーザプレーン経路を確立したり、ユーザプレーン経路の経由ノードを変更したりすることが困難である。
【０００６】
以上の事情を考慮して、本発明は、制御機能が限定的な基地局を経由して確立される論理経路の制御を実現することを目的とする。
【課題を解決するための手段】
【０００７】
本発明の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第１基地局を経由して前記ユーザ装置と前記ゲートウェイ装置とにユーザプレーン経路が確立されている場合に、前記第１基地局は、前記ユーザ装置から受信した、前記第２基地局が送信する電波に関する測定報告メッセージに基づき、前記ユーザ装置を前記第２基地局へハンドオーバさせるべきか否かを判定し、ハンドオーバさせるべきと判定したときに、前記第１基地局は、前記ユーザ装置を前記第２基地局にハンドオーバさせることを要求するハンドオーバ要求メッセージを前記第２基地局に送信し、前記第２基地局は、前記ハンドオーバ要求メッセージを受信すると、ハンドオーバ要求確認応答メッセージを前記第１基地局に送信し、前記第１基地局は、前記ハンドオーバ要求確認応答メッセージを受信すると、前記第２基地局と前記ユーザ装置とに無線ベアラを確立することを指示する無線接続再設定メッセージを前記ユーザ装置に送信し、前記ユーザ装置は、前記無線接続再設定メッセージに従って、前記第２基地局への無線ベアラを確立するように当該ユーザ装置を設定した後、無線接続再設定完了メッセージを前記第１基地局に送信し、前記第１基地局は、前記第２基地局の識別情報を含み、前記第１基地局を経由して前記ユーザ装置と前記ゲートウェイ装置とに確立された前記ユーザプレーン経路を前記第２基地局を経由するように変更することを要求する経路変更要求メッセージを前記交換局に送信し、前記交換局は、前記第１基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第１基地局に送信する。
【０００８】
以上の構成によれば、ユーザ装置に対する無線接続再設定メッセージの送信およびユーザ装置からの無線接続再設定完了メッセージの受信の双方を第１基地局が実行するので、ユーザ装置の無線リソース制御を実行しない（制御機能が限定的な）第２基地局を経由してユーザプレーン経路を確立することができる。したがって、第２基地局をターゲット基地局としてユーザ装置のハンドオーバを実行することが可能になる。また、ソース基地局である第１基地局が経路変更要求メッセージを交換局に送信するので、第２基地局と交換局とが接続されない場合であっても、第２基地局をターゲット基地局としてユーザ装置のハンドオーバを実行することができる。
【０００９】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第１基地局を経由して前記ユーザ装置と前記ゲートウェイ装置とにユーザプレーン経路が確立されている場合に、前記第１基地局は、前記ユーザ装置から受信した、前記第２基地局が送信する電波に関する測定報告メッセージに基づき、前記ユーザ装置を前記第２基地局へハンドオーバさせるべきか否かを判定し、ハンドオーバさせるべきと判定したときに、前記第１基地局は、前記ユーザ装置を前記第２基地局にハンドオーバさせることを要求するハンドオーバ要求メッセージを前記第２基地局に送信し、前記第２基地局は、前記ハンドオーバ要求メッセージを受信すると、ハンドオーバ要求確認応答メッセージを前記第１基地局に送信し、前記第１基地局は、前記ハンドオーバ要求確認応答メッセージを受信すると、前記第２基地局と前記ユーザ装置とに無線ベアラを確立することを指示する無線接続再設定メッセージを前記ユーザ装置に送信し、前記ユーザ装置は、前記無線接続再設定メッセージに従って、前記第２基地局への無線ベアラを確立するように当該ユーザ装置を設定した後、無線接続再設定完了メッセージを前記第１基地局に送信し、前記第１基地局は、前記第２基地局を制御して、前記第１基地局を経由して前記ユーザ装置と前記ゲートウェイ装置とに確立された前記ユーザプレーン経路を前記第２基地局を経由するように変更することを要求する経路変更要求メッセージを前記交換局に送信させ、前記交換局は、前記第２基地局から受信した前記経路変更要求メッセージを、前記ゲートウェイ装置に送信し、前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第２基地局に送信し、前記第２基地局は、前記経路変更要求確認応答メッセージを受信すると、経路変更が完了したことを示すメッセージを前記第１基地局に送信する。
【００１０】
以上の構成によれば、ユーザ装置に対する無線接続再設定メッセージの送信およびユーザ装置からの無線接続再設定完了メッセージの受信の双方を第１基地局が実行するので、ユーザ装置の無線リソース制御を実行しない（制御機能が限定的な）第２基地局を経由してユーザプレーン経路を確立することができる。したがって、第２基地局をターゲット基地局としてユーザ装置のハンドオーバを実行することが可能になる。
【００１１】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路が確立されている場合に、前記第１基地局は、前記ユーザ装置から受信した、前記第１基地局が送信する電波に関する測定報告メッセージに基づき、前記ユーザ装置を前記第１基地局へハンドオーバさせるべきか否かを判定し、ハンドオーバさせるべきと判定したときに、前記第１基地局は、前記ユーザ装置を前記第１基地局にハンドオーバさせることを要求するハンドオーバ要求メッセージを前記第２基地局に送信し、前記第２基地局は、前記ハンドオーバ要求メッセージを受信すると、ハンドオーバ要求確認応答メッセージを前記第１基地局に送信し、前記第１基地局は、前記ハンドオーバ要求確認応答メッセージを受信すると、前記第１基地局と前記ユーザ装置とに無線ベアラを確立することを指示する無線接続再設定メッセージを前記ユーザ装置に送信し、前記ユーザ装置は、前記無線接続再設定メッセージに従って、前記第１基地局への無線ベアラを確立するように当該ユーザ装置を設定した後、無線接続再設定完了メッセージを前記第１基地局に送信し、前記第１基地局は、前記第１基地局の識別情報を含み、前記第２基地局を経由して前記ユーザ装置と前記ゲートウェイ装置とに確立された前記ユーザプレーン経路を前記第１基地局を経由するように変更することを要求する経路変更要求メッセージを前記交換局に送信し、前記交換局は、前記第１基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第１基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第１基地局に送信し、前記第１基地局は、前記第２基地局を介して確立されていた前記ユーザプレーン経路に関する情報を削除することを指示するコンテキスト解放メッセージを前記第２基地局に送信し、前記第２基地局は、当該第２基地局を介して確立されていた前記ユーザプレーン経路に関する情報を削除する。
【００１２】
以上の構成によれば、ユーザ装置に対する無線接続再設定メッセージの送信およびユーザ装置からの無線接続再設定完了メッセージの受信の双方を第１基地局が実行するので、ユーザ装置の無線リソース制御を実行しない（制御機能が限定的な）第２基地局を経由してユーザプレーン経路を確立されている場合であっても（すなわち、第２基地局がソース基地局であっても）、ターゲット基地局である第１基地局に対してユーザ装置をハンドオーバさせることが可能になる。
【００１３】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局および第３基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路が確立されている場合に、前記第１基地局は、前記ユーザ装置から受信した、前記第３基地局が送信する電波に関する測定報告メッセージに基づき、前記ユーザ装置を前記第３基地局にハンドオーバさせるべきか否かを判定し、ハンドオーバさせるべきと判定したときに、前記第１基地局は、前記ユーザ装置が無線接続中の前記第２基地局の識別情報を含み、前記ユーザ装置を前記第３基地局にハンドオーバさせることを要求する、第３基地局に対するハンドオーバ要求メッセージを前記第３基地局に送信し、前記第３基地局は、前記第３基地局に対するハンドオーバ要求メッセージを受信すると、前記ユーザ装置を前記第３基地局にハンドオーバさせることを要求する、第２基地局に対するハンドオーバ要求メッセージを前記第２基地局に送信し、前記第２基地局は、前記第２基地局に対するハンドオーバ要求メッセージを受信すると、第３基地局に対するハンドオーバ要求確認応答メッセージを前記第３基地局に送信し、前記第３基地局は、前記第３基地局に対するハンドオーバ要求確認応答メッセージを受信すると、第１基地局に対するハンドオーバ要求確認応答メッセージを前記第１基地局に送信し、前記第１基地局は、前記第１基地局に対するハンドオーバ要求確認応答メッセージを受信すると、前記第３基地局と前記ユーザ装置とに無線ベアラを確立することを指示する無線接続再設定メッセージを前記ユーザ装置に送信し、前記ユーザ装置は、前記無線接続再設定メッセージに従って、前記第３基地局への無線ベアラを確立するように当該ユーザ装置を設定した後、無線接続再設定完了メッセージを前記第１基地局に送信し、前記第１基地局は、前記第３基地局の識別情報を含み、前記第２基地局を経由して前記ユーザ装置と前記ゲートウェイ装置とに確立された前記ユーザプレーン経路を前記第３基地局を経由するように変更することを要求する経路変更要求メッセージを前記交換局に送信し、前記交換局は、前記第１基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第３基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第１基地局に送信し、前記第１基地局は、前記交換局から受信した前記経路変更要求確認応答メッセージを前記第２基地局に送信し、前記第２基地局は、当該第２基地局を介して確立されていた前記ユーザプレーン経路に関する情報を削除する。
【００１４】
以上の構成によれば、ユーザ装置に対する無線接続再設定メッセージの送信およびユーザ装置からの無線接続再設定完了メッセージの受信の双方を第１基地局が実行するので、ソース基地局およびターゲット基地局の双方がユーザ装置の無線リソース制御を実行しない（制御機能が限定的な）基地局（第２基地局、第３基地局）であっても、ハンドオーバを実行することが可能になる。また、第１基地局が第３基地局にハンドオーバ要求メッセージを送信した後は、第３基地局と第２基地局とで制御メッセージを送信してハンドオーバ手順が実行されるので、第１基地局が個別に各基地局を制御する構成と比較して、第１基地局の制御負荷がより低減される。また、ターゲット基地局である第３基地局にハンドオーバ要求メッセージを直接に送信するので、他の基地局（第２基地局等）を経由してハンドオーバ要求メッセージを送信する構成と比較して、第３基地局がユーザ装置を収容不可能な場合であっても第１基地局の制御負荷がより低く抑えられる。
【００１５】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局および第３基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路が確立されている場合に、前記第１基地局は、前記ユーザ装置から受信した、前記第３基地局が送信する電波に関する測定報告メッセージに基づき、前記ユーザ装置を前記第３基地局にハンドオーバさせるべきか否かを判定し、ハンドオーバさせるべきと判定したときに、前記第１基地局は、前記ユーザ装置が無線接続中の前記第２基地局の識別情報および前記ゲートウェイ装置の識別情報を含み、前記ユーザ装置を前記第３基地局にハンドオーバさせることを要求する、第３基地局に対するハンドオーバ要求メッセージを前記第３基地局に送信し、前記第３基地局は、前記第３基地局に対するハンドオーバ要求メッセージを受信すると、ハンドオーバ要求確認応答メッセージを前記第１基地局に送信し、前記第１基地局は、前記第３基地局からの前記ハンドオーバ要求確認応答メッセージを受信すると、前記第３基地局の識別情報を含み、前記ユーザ装置を前記第３基地局にハンドオーバさせることを要求する、第２基地局に対するハンドオーバ要求メッセージを前記第２基地局に送信し、前記第２基地局は、前記第２基地局に対するハンドオーバ要求メッセージを受信すると、ハンドオーバ要求確認応答メッセージを前記第１基地局に送信し、前記第１基地局は、前記第２基地局からの前記ハンドオーバ要求確認応答メッセージを受信すると、前記第３基地局と前記ユーザ装置とに無線ベアラを確立することを指示する無線接続再設定メッセージを前記ユーザ装置に送信し、前記ユーザ装置は、前記無線接続再設定メッセージに従って、前記第３基地局への無線ベアラを確立するように当該ユーザ装置を設定した後、無線接続再設定完了メッセージを前記第１基地局に送信し、前記第１基地局は、前記第３基地局の識別情報を含み、前記第２基地局を経由して前記ユーザ装置と前記ゲートウェイ装置とに確立された前記ユーザプレーン経路を前記第３基地局を経由するように変更することを要求する経路変更要求メッセージを前記交換局に送信し、前記交換局は、前記第１基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第３基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第１基地局に送信し、前記第１基地局は、前記交換局から受信した前記経路変更要求確認応答メッセージを前記第２基地局に送信し、前記第２基地局は、当該第２基地局を介して確立されていた前記ユーザプレーン経路に関する情報を削除する。
【００１６】
以上の構成によれば、ユーザ装置に対する無線接続再設定メッセージの送信およびユーザ装置からの無線接続再設定完了メッセージの受信の双方を第１基地局が実行するので、ソース基地局およびターゲット基地局の双方がユーザ装置の無線リソース制御を実行しない（制御機能が限定的な）基地局（第２基地局、第３基地局）であっても、ハンドオーバを実行することが可能になる。また、第１基地局が第２基地局および第３基地局の各々にハンドオーバ要求メッセージを送信するので、いずれかの基地局にハンドオーバ要求メッセージを送信し、第１基地局以外の基地局（第２基地局、第３基地局）間で相互にハンドオーバ手順を実行する構成と比較して、第２基地局および第３基地局のオーバヘッドがより低減される。
【００１７】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局および第３基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路が確立されている場合に、前記第１基地局は、前記ユーザ装置から受信した、前記第３基地局が送信する電波に関する測定報告メッセージに基づき、前記ユーザ装置を前記第３基地局にハンドオーバさせるべきか否かを判定し、ハンドオーバさせるべきと判定したときに、前記第１基地局は、前記第３基地局の識別情報を含み、前記ユーザ装置を前記第３基地局にハンドオーバさせることを要求する、第２基地局に対するハンドオーバ要求メッセージを前記第２基地局に送信し、前記第２基地局は、前記第２基地局に対するハンドオーバ要求メッセージを受信すると、前記ゲートウェイ装置の識別情報を含み、前記ユーザ装置を前記第３基地局にハンドオーバさせることを要求する、第３基地局に対するハンドオーバ要求メッセージを前記第３基地局に送信し、前記第３基地局は、前記第３基地局に対するハンドオーバ要求メッセージを受信すると、第２基地局に対するハンドオーバ要求確認応答メッセージを前記第２基地局に送信し、前記第２基地局は、前記第２基地局に対するハンドオーバ要求確認応答メッセージを受信すると、第１基地局に対するハンドオーバ要求確認応答メッセージを前記第１基地局に送信し、前記第１基地局は、前記第１基地局に対するハンドオーバ要求確認応答メッセージを受信すると、前記第３基地局と前記ユーザ装置とに無線ベアラを確立することを指示する無線接続再設定メッセージを前記ユーザ装置に送信し、前記ユーザ装置は、前記無線接続再設定メッセージに従って、前記第３基地局への無線ベアラを確立するように当該ユーザ装置を設定した後、無線接続再設定完了メッセージを前記第１基地局に送信し、前記第１基地局は、前記第３基地局の識別情報を含み、前記第２基地局を経由して前記ユーザ装置と前記ゲートウェイ装置とに確立された前記ユーザプレーン経路を前記第３基地局を経由するように変更することを要求する経路変更要求メッセージを前記交換局に送信し、前記交換局は、前記第１基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第３基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第１基地局に送信し、前記第１基地局は、前記交換局から受信した前記経路変更要求確認応答メッセージを前記第２基地局に送信し、前記第２基地局は、当該第２基地局を介して確立されていた前記ユーザプレーン経路に関する情報を削除する。
【００１８】
以上の構成によれば、ユーザ装置に対する無線接続再設定メッセージの送信およびユーザ装置からの無線接続再設定完了メッセージの受信の双方を第１基地局が実行するので、ソース基地局およびターゲット基地局の双方がユーザ装置の無線リソース制御を実行しない（制御機能が限定的な）基地局（第２基地局、第３基地局）であっても、ハンドオーバを実行することが可能になる。また、第１基地局が第２基地局にハンドオーバ要求メッセージを送信した後は、第２基地局と第３基地局とで制御メッセージを送信してハンドオーバ手順が実行されるので、第１基地局が個別に各基地局を制御する構成と比較して、第１基地局の制御負荷がより低減される。
【００１９】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路を確立する際に、前記ユーザ装置は、前記ユーザプレーン経路の確立を要求するメッセージを前記交換局に送信し、前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、前記ゲートウェイ装置は、前記セッション確立要求メッセージを受信すると、当該ゲートウェイ装置の識別情報を含むセッション確立応答メッセージを前記交換局に送信し、前記交換局は、前記セッション確立応答メッセージを受信すると、前記ゲートウェイ装置の識別情報を含むベアラ確立要求メッセージを前記第１基地局に送信し、前記第１基地局は、前記ベアラ確立要求メッセージを受信すると、前記ゲートウェイの識別情報を含む初期コンテキスト設定要求メッセージを前記第２基地局に送信し、前記第２基地局は、前記初期コンテキスト設定要求メッセージを受信すると、当該第２基地局の識別情報を含む初期コンテキスト設定応答メッセージを前記第１基地局に送信し、前記第１基地局は、前記初期コンテキスト設定応答メッセージを受信すると、前記第２基地局の識別情報を含むベアラ確立応答メッセージを前記交換局に送信し、前記交換局は、前記ベアラ確立応答メッセージを受信すると、コンテキスト設定要求メッセージを前記第１基地局に送信し、前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、前記ユーザ装置は、前記無線接続再設定メッセージに従って、前記第２基地局への無線ベアラを確立するように当該ユーザ装置を設定した後、無線接続再設定完了メッセージを前記第１基地局に送信し、前記第１基地局は、前記無線接続再設定完了メッセージを受信すると、コンテキスト設定完了メッセージを前記交換局に送信する。
【００２０】
以上の構成によれば、交換局からベアラ確立要求メッセージを受信した第１基地局が、第２基地局を経由してユーザプレーン経路が確立されるように第２基地局およびユーザ装置を制御する。したがって、ユーザ装置の無線リソース制御を実行しない第２基地局を経由してユーザプレーン経路が確立され得る。
【００２１】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路を確立する際に、前記ユーザ装置は、前記ユーザプレーン経路の確立を要求するメッセージを前記交換局に送信し、前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、前記ゲートウェイ装置は、前記セッション確立要求メッセージを受信すると、当該ゲートウェイ装置の識別情報を含むセッション確立応答メッセージを前記交換局に送信し、前記交換局は、前記セッション確立応答メッセージを受信すると、前記ゲートウェイ装置の識別情報を含むベアラ確立要求メッセージを前記第１基地局に送信し、前記第１基地局は、前記ベアラ確立要求メッセージを受信すると、前記ゲートウェイ装置の識別情報を含むハンドオーバ要求メッセージを前記第２基地局に送信し、前記第２基地局は、前記ハンドオーバ要求メッセージを受信すると、ハンドオーバ要求確認応答メッセージを前記第１基地局に送信し、前記第１基地局は、前記ハンドオーバ要求確認応答メッセージを受信すると、当該第１基地局の識別情報を含むベアラ確立応答メッセージを前記交換局に送信し、その後、前記第２基地局を経由して前記ユーザ装置と前記ゲートウェイ装置とにユーザプレーン経路を確立することを要求する経路変更要求メッセージを前記交換局に送信し、前記交換局は、前記第１基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第１基地局に送信し、コンテキスト設定要求メッセージを前記第１基地局に送信し、前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、前記ユーザ装置は、前記無線接続再設定メッセージに従って、前記第２基地局への無線ベアラを確立するように当該ユーザ装置を設定した後、無線接続再設定完了メッセージを前記第１基地局に送信し、前記第１基地局は、前記無線接続再設定完了メッセージを受信すると、コンテキスト設定完了メッセージを前記交換局に送信する。
【００２２】
以上の構成に拠れば、交換局からベアラ確立要求メッセージを受信した第１基地局が、第２基地局を経由してユーザプレーン経路が確立されるように第２基地局およびユーザ装置を制御する。また、第１基地局がゲートウェイ装置に経路変更を要求する。したがって、ユーザ装置の無線リソース制御を実行しない第２基地局を経由してユーザプレーン経路が確立され得る。
【００２３】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路を確立する際に、  前記ユーザ装置は、前記ユーザプレーン経路の確立を要求するメッセージを前記交換局に送信し、前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、前記ゲートウェイ装置は、前記セッション確立要求メッセージを受信すると、当該ゲートウェイ装置の識別情報を含むセッション確立応答メッセージを前記交換局に送信し、前記交換局は、前記セッション確立応答メッセージを受信すると、前記ゲートウェイ装置の識別情報を含むベアラ確立要求メッセージを前記第１基地局に送信し、前記第１基地局は、前記ベアラ確立要求メッセージを受信すると、前記ゲートウェイ装置の識別情報を含むハンドオーバ要求メッセージを前記第２基地局に送信し、前記第２基地局は、前記ハンドオーバ要求メッセージを受信すると、ハンドオーバ要求確認応答メッセージを前記第１基地局に送信し、その後、前記第２基地局を経由して前記ユーザ装置と前記ゲートウェイ装置とにユーザプレーン経路を確立することを要求する経路変更要求メッセージを前記交換局に送信し、前記第１基地局は、前記ハンドオーバ要求確認応答メッセージを受信すると、当該第１基地局の識別情報を含むベアラ確立応答メッセージを前記交換局に送信し、前記交換局は、前記第２基地局から受信した前記経路変更要求メッセージを前記ゲートウェイ装置に送信し、前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、前記交換局は、前記ゲートウェイ装置から受信した前記経路変更要求確認応答メッセージを前記第２基地局に送信し、コンテキスト設定要求メッセージを前記第１基地局に送信し、前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、前記ユーザ装置は、前記無線接続再設定メッセージに従って、前記第２基地局への無線ベアラを確立するように当該ユーザ装置を設定した後、無線接続再設定完了メッセージを前記第１基地局に送信し、前記第１基地局は、前記無線接続再設定完了メッセージを受信すると、コンテキスト設定完了メッセージを前記交換局に送信する。
【００２４】
以上の構成によれば、交換局からベアラ確立要求メッセージを受信した第１基地局が、第２基地局を経由してユーザプレーン経路が確立されるように第２基地局およびユーザ装置を制御する。また、第２基地局がゲートウェイ装置に経路変更を要求する。したがって、ユーザ装置の無線リソース制御を実行しない第２基地局を経由してユーザプレーン経路が確立され得る。
【００２５】
本発明の別の無線通信システムは、ユーザ装置と、前記ユーザ装置の無線リソース制御を、当該ユーザ装置とに確立された論理経路である制御プレーン経路を介して実行可能な第１基地局と、前記ユーザ装置の無線リソース制御を実行しない第２基地局とを含む複数の基地局と、ゲートウェイ装置と、前記ユーザ装置と前記ゲートウェイ装置とに確立される論理経路であるユーザプレーン経路を制御する交換局とを備え、前記第２基地局を経由して前記ユーザ装置と前記ゲートウェイ装置とにユーザプレーン経路を確立する際に、前記ユーザ装置は、前記ユーザプレーン経路の確立を要求するメッセージを前記交換局に送信し、前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、前記ゲートウェイ装置は、前記セッション確立要求メッセージを受信すると、当該ゲートウェイ装置の識別情報を含むセッション確立応答メッセージを前記交換局に送信し、前記交換局は、前記セッション確立応答メッセージを受信すると、前記ゲートウェイ装置の識別情報を含むベアラ確立要求メッセージを前記第１基地局に送信し、前記第１基地局は、前記ベアラ確立要求メッセージを受信すると、前記第２基地局の識別情報を含み、前記第２基地局を経由して前記ユーザ装置と前記ゲートウェイ装置とに前記ユーザプレーン経路を確立することを指示する、ベアラリダイレクトメッセージを前記交換局に送信し、前記交換局は、前記ベアラリダイレクトメッセージを受信すると、前記ゲートウェイ装置の識別情報を含む初期コンテキスト設定要求メッセージを前記第２基地局に送信し、前記第２基地局は、前記初期コンテキスト設定要求メッセージを受信すると、初期コンテキスト設定応答メッセージを前記交換局に送信し、前記交換局は、コンテキスト設定要求メッセージを前記第１基地局に送信し、前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、前記ユーザ装置は、前記無線接続再設定メッセージに従って、前記第２基地局への無線ベアラを確立するように当該ユーザ装置を設定した後、無線接続再設定完了メッセージを前記第１基地局に送信し、前記第１基地局は、前記無線接続再設定完了メッセージを受信すると、コンテキスト設定完了メッセージを前記交換局に送信する。
【００２６】
以上の構成によれば、交換局からベアラ確立要求メッセージを受信した第１基地局が、第２基地局を経由してユーザプレーン経路が確立されるように交換局を制御し、交換局が第２基地局およびユーザ装置を制御してユーザプレーン経路を確立する。したがって、ユーザ装置の無線リソース制御を実行しない第２基地局を経由してユーザプレーン経路が確立され得る。
【図面の簡単な説明】
【００２７】
【図１】本発明の第１実施形態に係る無線通信システムを示すブロック図である。
【図２】無線通信システムの別の構成を示すブロック図である。
【図３】従来技術によるハンドオーバおよび経路変更の一例を示す動作フローである。
【図４】第１実施形態のハンドオーバ動作の一例を示す動作フローである。
【図５】第１実施形態のハンドオーバ動作の変形例を示す動作フローである。
【図６】第１実施形態のユーザ装置の構成を示すブロック図である。
【図７】第１実施形態の第１基地局の構成を示すブロック図である。
【図８】第１実施形態の第２基地局の構成を示すブロック図である。
【図９】第１実施形態の交換局の構成を示すブロック図である。
【図１０】第１実施形態のゲートウェイ装置の構成を示すブロック図である。
【図１１】第２実施形態のハンドオーバ動作の一例を示す動作フローである。
【図１２】第３実施形態の無線通信システムを示すブロック図である。
【図１３】第３実施形態のハンドオーバ動作の一例を示す動作フローである。
【図１４】第３実施形態のハンドオーバ動作の第１変形例を示す動作フローである。
【図１５】第３実施形態のハンドオーバ動作の第２変形例を示す動作フローである。
【図１６】第４実施形態のユーザプレーン確立動作の一例を示す動作フローである。
【図１７】第５実施形態のユーザプレーン確立動作の一例を示す動作フローである。
【図１８】第５実施形態のユーザプレーン確立動作の変形例を示す動作フローである。
【図１９】第６実施形態のユーザプレーン確立動作の一例を示す動作フローである。
【図２０】各基地局が形成するセルの構成の一例を示す図である。
【発明を実施するための形態】
【００２８】
第１実施形態
１（１）．  無線通信システムの構成
図１は、本発明の第１実施形態に係る無線通信システムＣＳのブロック図である。無線通信システムＣＳは、ユーザ装置ＵＥと、第１基地局ｅＮＢと、第２基地局ＰｈＮＢと、交換局ＭＭＥと、ゲートウェイ装置ＧＷとを要素として備える。また、ネットワークＮＷは、以上の無線通信システムＣＳが備える要素のうち、ユーザ装置ＵＥ以外の要素を備える。
【００２９】
無線通信システムＣＳ内の各要素は、所定のアクセス技術（Access Technology）、例えば３ＧＰＰ規格（Third Generation Partnership Project）に規定されるＬＴＥ／ＳＡＥ（Long Term Evolution / System Architecture Evolution）に従って通信を実行する。３ＧＰＰ規格に規定された用語に従うと、ユーザ装置ＵＥはUser Equipmentであり、第１基地局ｅＮＢはevolved Node Bであり、交換局ＭＭＥはMobile Management Entityであり、ゲートウェイ装置ＧＷはPacket-Data-Network/Serving Gateway、すなわちSAE Gatewayである。また、第２基地局ＰｈＮＢは、その制御機能の全部又は一部を第１基地局ｅＮＢに依存する基地局である（詳細は後述される）。
本実施形態では、無線通信システムＣＳが、原則としてＬＴＥ／ＳＡＥに従って動作する形態を例示して説明するが、本発明の技術的範囲を限定する趣旨ではない。本発明は、必要な設計上の変更を施した上で、他のアクセス技術にも適用可能である。
【００３０】
ユーザ装置ＵＥは、第１基地局ｅＮＢおよび第２基地局ＰｈＮＢと無線通信することが可能である。ユーザ装置ＵＥと各基地局（ｅＮＢ，ＰｈＮＢ）との無線通信の方式は任意である。例えば、下りリンクではＯＦＤＭＡ（Orthogonal Frequency Division Multiple Access）が採用され得、上りリンクではＳＣ−ＦＤＭＡ（Single-Carrier Frequency Division Multiple Access）が採用され得る。
【００３１】
第１基地局ｅＮＢは、第２基地局ＰｈＮＢ、交換局ＭＭＥ、およびゲートウェイ装置ＧＷと有線にて接続される。第２基地局ＰｈＮＢは、第１基地局ｅＮＢおよびゲートウェイ装置ＧＷと有線にて接続される。ゲートウェイ装置ＧＷは、第１基地局ｅＮＢおよび交換局ＭＭＥに接続される他、無線通信システムＣＳの外部ネットワークであるインターネットＩＮに接続される。すなわち、ゲートウェイ装置ＧＷは、外部ネットワークとの接続点（アクセスポイント）として機能し得る。
【００３２】
１（２）．  ユーザ信号および制御信号の送受信
無線通信システムＣＳにおけるユーザ信号および制御信号の送受信について説明する。図１において、実線がユーザ信号（音声信号、データ信号等のユーザデータを示す信号）の送受信に用いられる経路を示し、破線が制御信号の送受信に用いられる経路を示す。すなわち、実線はＵプレーン（ユーザプレーン，User Plane）のインタフェースを示し、破線はＣプレーン（制御プレーン，Control Plane）のインタフェースを示す。Ｕプレーンのインタフェースを介してＵプレーン経路が確立され、Ｃプレーンのインタフェースを介してＣプレーン経路が確立される。
【００３３】
以上のインタフェースにおいては、原則として、３ＧＰＰに規定されるＥＰＳ（Evolved Packed System）のプロトコル構成が採用される。また、以上の構成においては、第１基地局ｅＮＢと第２基地局ＰｈＮＢとの間にＸ３インタフェースが存在し、第２基地局ＰｈＮＢとユーザ装置ＵＥとの間にＰｈ−Ｕｕインタフェースが存在する。第２基地局ＰｈＮＢとユーザ装置ＵＥとの間にはＣプレーンのインタフェースが存在しない。
【００３４】
なお、図２に示すように、交換局ＭＭＥと第２基地局ＰｈＮＢとの間にＣプレーンのインタフェース（Ｓ１−ＭＭＥインタフェース）が存在する構成も採用可能である。また、無線通信システムＣＳに含まれる複数の第２基地局ＰｈＮＢのうち、一部の第２基地局ＰｈＮＢが図１のように交換局ＭＭＥと接続せず、他の一部の第２基地局ＰｈＮＢが図２のように交換局ＭＭＥと接続する構成も採用可能である。
【００３５】
ユーザ装置ＵＥは、２つのＵプレーン経路を用いてインターネットＩＮとユーザ信号を送受信し得る。すなわち、ユーザ装置ＵＥは、ユーザ装置ＵＥから第１基地局ｅＮＢおよびゲートウェイ装置ＧＷを経てインターネットＩＮに向かうＵプレーン経路と、ユーザ装置ＵＥから第２基地局ＰｈＮＢおよびゲートウェイ装置ＧＷを経てインターネットＩＮに向かうＵプレーン経路とを用いてユーザデータ通信を実行することが可能である。
【００３６】
無線通信システムＣＳ内において、論理的な経路であるベアラ（Bearer）を介してユーザ信号が送受信される。ベアラ（ＥＰＳベアラ）は、交換局ＭＭＥの制御（交換局ＭＭＥが送信する制御信号）に基づいて、ユーザ装置ＵＥとゲートウェイ装置ＧＷとに確立される。より詳細には、ＥＰＳベアラは、無線ベアラＲＢとＳ１ベアラＳ１Ｂとを含む。無線ベアラＲＢは、ユーザ装置ＵＥと基地局（第１基地局ｅＮＢ、第２基地局ＰｈＮＢ）とに確立されるベアラであり、Ｓ１ベアラＳ１Ｂは、基地局（第１基地局ｅＮＢ、第２基地局ＰｈＮＢ）とゲートウェイ装置ＧＷとに確立されるベアラである。確立されたＥＰＳベアラ（Ｕプレーン経路）は、交換局ＭＭＥの制御に基づいて経路変更され得る。
【００３７】
１（３）．  従来技術によるハンドオーバ
本発明のハンドオーバおよび経路変更を説明するのに先立ち、図３を参照して、従来技術によるハンドオーバおよび経路変更の一例を説明する。図３の例では、当初、ハンドオーバ元となるソース基地局ｅＮＢ−Ｓを経由してユーザ装置ＵＥとゲートウェイ装置ＧＷとにＵプレーン経路が確立されていると想定する。そして、以下に説明する動作により、ハンドオーバ先となるターゲット基地局ｅＮＢ−Ｔを経由するようにＵプレーン経路が経路変更される。
【００３８】
ユーザ装置ＵＥは、近隣の基地局が送信する電波の受信電力（受信品質）を測定し、無線接続中のソース基地局ｅＮＢ−Ｓに報告する。より具体的には、ユーザ装置ＵＥは、近隣の基地局から受信した電波（無線信号）の受信電力（受信品質）を示す情報を搭載したMeasurement Reportメッセージ（測定報告メッセージ）を、Ｃプレーン経路（Signaling Radio Bearer）を介してソース基地局ｅＮＢ−Ｓに送信する（S10）。
【００３９】
ソース基地局ｅＮＢ−Ｓは、ユーザ装置ＵＥからMeasurement Reportメッセージを受信すると、そのユーザ装置ＵＥをハンドオーバさせるべきか否かを判定する（S12）。以上の判定は、例えば、「他の基地局ｅＮＢからの電波の受信電力が、現在接続中（在圏中）のソース基地局ｅＮＢ−Ｓからの電波の受信電力よりも大きいか否か」という判定である。この例では、ステップS12において、ソース基地局ｅＮＢが、他の基地局ｅＮＢ（ターゲット基地局ｅＮＢ−Ｔ）からの受信電力がソース基地局ｅＮＢ−Ｓからの受信電力よりも大きいと判定し、ユーザ装置ＵＥをターゲット基地局ｅＮＢ−Ｔにハンドオーバさせるべきと判定したと想定する。
【００４０】
ステップS12の判定後、ソース基地局ｅＮＢは、ユーザ装置ＵＥをターゲット基地局ｅＮＢ−Ｔにハンドオーバさせることを要求するHandover Requestメッセージ（ハンドオーバ要求メッセージ）を、Ｘ２インタフェース（基地局ｅＮＢのインタフェース）を介してターゲット基地局ｅＮＢ−Ｔに送信する（S14）。Handover Requestメッセージには、ソース基地局ｅＮＢを介して現在確立されているベアラの情報と、ターゲット基地局ｅＮＢ−Ｔを介してこれから確立されるべきベアラの情報（ＱｏＳ情報を含む）とが含まれる。
【００４１】
Handover Requestメッセージを受信すると、ターゲット基地局ｅＮＢ−Ｔは、自局にそのユーザ装置ＵＥを収容可能であれば、Handover Request Ackメッセージ（ハンドオーバ要求確認応答メッセージ）を、Ｘ２インタフェースを介してソース基地局ｅＮＢ−Ｓに送信する（S16）。Handover Request Ackメッセージは、Handover Requestメッセージに基づくハンドオーバが実行可能であることを示すメッセージであり、ユーザ装置ＵＥがターゲット基地局ｅＮＢ−Ｔに接続するために必要なパラメータを含む。なお、ターゲット基地局ｅＮＢ−Ｔがユーザ装置ＵＥを収容可能でない場合には、Handover Preparation Failureメッセージがターゲット基地局ｅＮＢ−Ｔからソース基地局ｅＮＢ−Ｓに送信され、Measurement Reportメッセージの受信（S10）から手順が再開される。
【００４２】
Handover Request Ackメッセージを受信すると、ソース基地局ｅＮＢ−Ｓは、ターゲット基地局ｅＮＢ−Ｔとユーザ装置ＵＥとに無線ベアラＲＢを確立することを指示するRRC Connection Reconfigurationメッセージ（無線接続再設定メッセージ）を、現在接続中のユーザ装置ＵＥに送信する（S18）。RRC Connection Reconfigurationメッセージには、ユーザ装置ＵＥがターゲット基地局ｅＮＢ−Ｔと無線接続するのに必要なパラメータ（例えば、ターゲット基地局ｅＮＢ−Ｔの識別情報）が含まれる。
【００４３】
ソース基地局ｅＮＢ−Ｓは、SN Status Transferメッセージをターゲット基地局ｅＮＢ−Ｔに送信し（S20）、データ転送（Data Forwarding）を実行する（S22）。SN Status Transferメッセージは、PDCPシーケンス番号ステータス（PDCP SN Status）等を含む。なお、以上の２ステップは省略されてもよい。
【００４４】
ユーザ装置ＵＥは、受信したRRC Connection Reconfigurationメッセージに従って、ターゲット基地局ｅＮＢ−Ｔへの無線ベアラＲＢを確立するように、自装置の設定を変更する。ユーザ装置ＵＥは、ターゲット基地局ｅＮＢ−Ｔへのアクセスの成功を確認すると、RRC Connection Reconfiguration Completeメッセージ（無線接続再設定完了メッセージ）をターゲット基地局ｅＮＢ−Ｔに送信する（S24）。注目すべきは、ユーザ装置ＵＥにとって、RRC Connection Reconfigurationメッセージの送信元（ハンドオーバを指示したソース基地局ｅＮＢ−Ｓ）と、RRC Connection Reconfiguration Completeメッセージの送信先（ターゲット基地局ｅＮＢ−Ｔ）とが相違する点である。
【００４５】
ターゲット基地局ｅＮＢ−Ｔへの無線ベアラＲＢの確立を完了すると（S26）、ターゲット基地局ｅＮＢ−Ｔは、Path Switch Requestメッセージ（経路変更要求メッセージ）を交換局ＭＭＥに送信する（S28）。Path Switch Requestメッセージは、ソース基地局ｅＮＢ−Ｓを経由して確立されたＵプレーン経路をターゲット基地局ｅＮＢ−Ｔを経由するように変更することを要求する制御メッセージであり、自局であるターゲット基地局ｅＮＢ−Ｔの識別情報（ＩＰアドレス及びＴＥＩＤ（トンネルエンドポイント識別子））を含む。
【００４６】
交換局ＭＭＥは、ターゲット基地局ｅＮＢ−ＴからPath Switch Requestメッセージを受信すると、そのPath Switch Requestメッセージをゲートウェイ装置ＧＷに送信する（S30）。Path Switch Requestメッセージを受信したゲートウェイ装置ＧＷは、ゲートウェイ装置ＧＷを１つの端点として確立されているＵプレーン経路がターゲット基地局ｅＮＢ−Ｔを経由するように、ターゲット基地局ｅＮＢ−Ｔの識別情報を用いて自装置の設定を変更した後、Path Switch Request Ackメッセージ（経路変更要求確認応答メッセージ）を交換局ＭＭＥに送信する（S32）。
【００４７】
交換局ＭＭＥは、ゲートウェイ装置ＧＷからPath Switch Request Ackメッセージを受信すると、そのPath Switch Request Ackメッセージをターゲット基地局ｅＮＢ−Ｔに送信する（S34）。ターゲット基地局ｅＮＢ−Ｔは、Path Switch Request Ackメッセージを受信すると、Context Releaseメッセージ（コンテキスト解放メッセージ）をソース基地局ｅＮＢ−Ｓへ送信する（S36）。Context Releaseメッセージは、ハンドオーバの成功を示すメッセージであり、ソース基地局ｅＮＢ−Ｓによって確保されている通信リソース（Ｕプレーン経路、Ｃプレーン経路等）を解放してよいことをソース基地局ｅＮＢ−Ｓに伝えるメッセージである。Context Releaseメッセージを受信すると、ソース基地局ｅＮＢ−Ｓは、ユーザ装置ＵＥの通信のために確保していた通信リソースを解放する（S38）。
【００４８】
以上に説明した動作により、ユーザ装置ＵＥの無線接続先がソース基地局ｅＮＢ−Ｓからターゲット基地局ｅＮＢ−Ｔに変更されると共に、ソース基地局ｅＮＢ−Ｓを経由して確立されていたＵプレーン経路（ベアラ）がターゲット基地局ｅＮＢ−Ｔを経由するように経路変更される。
【００４９】
１（４）．  本実施形態のハンドオーバ
上述した従来のハンドオーバ動作において、ハンドオーバ元及びハンドオーバ先はｅＮＢである。ソース基地局ｅＮＢ−Ｓ及びターゲット基地局ｅＮＢ−Ｔは、相互に制御信号を送受信可能であり、また、ユーザ装置ＵＥと制御信号を送受信可能である。他方、前述の通り、本実施形態の第２基地局ＰｈＮＢはユーザ装置ＵＥと制御信号を送受信しない。したがって、第１基地局ｅＮＢから第２基地局ＰｈＮＢへハンドオーバを実行するには、従来とは異なるハンドオーバ動作が必要であると理解できる。以下に、図４を参照して、本実施形態の無線通信システムＣＳにおけるハンドオーバ動作の一例を説明する。なお、以下の例示で用いられる制御メッセージは、特に言及しない限り、前述した従来のハンドオーバ動作における同名の制御メッセージと同様の構成を有する。
【００５０】
本例（図４）では、当初、ユーザ装置ＵＥが第１基地局ｅＮＢに無線接続し、Ｕプレーン経路が第１基地局ｅＮＢを経由して確立されていると想定する。すなわち、第１基地局ｅＮＢがソース基地局である。ユーザ装置ＵＥは、ソース基地局である第１基地局ｅＮＢにMeasurement Reportメッセージを送信する（S100）。第１基地局ｅＮＢは、受信したMeasurement Reportメッセージが示す基地局からの受信電力に基づいて、ユーザ装置ＵＥをハンドオーバさせるべきか否かを判定する（S120）。この例では、ユーザ装置ＵＥを第２基地局ＰｈＮＢへハンドオーバさせるべきと判定されたと想定する。すなわち、第２基地局ＰｈＮＢがターゲット基地局である。
【００５１】
ステップS120の判定後、第１基地局ｅＮＢは、ユーザ装置ＵＥを第２基地局ＰｈＮＢにハンドオーバさせることを要求するHandover Requestメッセージを、Ｘ３インタフェース（第１基地局ｅＮＢと第２基地局ＰｈＮＢとを接続するインタフェース）を介して第２基地局ＰｈＮＢに送信する（S140）。Handover Requestメッセージを受信すると、第２基地局ＰｈＮＢは、ユーザ装置ＵＥを収容可能であれば、Handover Request Ackメッセージを、Ｘ３インタフェースを介して第１基地局ｅＮＢに送信する（S160）。
【００５２】
Handover Request Ackメッセージを受信すると、第１基地局ｅＮＢは、第２基地局ＰｈＮＢとユーザ装置ＵＥとに無線ベアラＲＢを確立することを指示するRRC Connection Reconfigurationメッセージを、現在接続中のユーザ装置ＵＥに送信する（S180）。第１基地局ｅＮＢは、SN Status Transferメッセージを第２基地局ＰｈＮＢに送信し（S200）、データ転送（Data Forwarding）を実行する（S220）。以上の２ステップ（S200，S220）が省略されてもよいことは、前述と同様である。
【００５３】
ユーザ装置ＵＥは、受信したRRC Connection Reconfigurationメッセージに従って、第２基地局ＰｈＮＢへの無線ベアラＲＢを確立するように、自装置の設定を変更する。ユーザ装置ＵＥは、第２基地局ＰｈＮＢへのアクセスの成功を確認すると、RRC Connection Reconfiguration Completeメッセージを（第２基地局ＰｈＮＢではなく）第１基地局ｅＮＢに送信する（S240）。注目すべきは、従来のハンドオーバ動作と異なり、RRC Connection Reconfigurationメッセージの送信元と、RRC Connection Reconfiguration Completeメッセージの送信先とが同一（第１基地局ｅＮＢ）である点である。
【００５４】
第２基地局ＰｈＮＢへの無線ベアラＲＢの確立が完了すると（S260）、第１基地局ｅＮＢは、第１基地局ｅＮＢを経由してユーザ装置ＵＥとゲートウェイ装置ＧＷとに確立されたＵプレーン経路を第２基地局ＰｈＮＢを経由するように変更することを要求するPath Switch Requestメッセージを交換局ＭＭＥに送信する（S280）。Path Switch Requestメッセージは、自局の識別情報ではなく、Ｕプレーン経路の新たな経由点である第２基地局ＰｈＮＢの識別情報（ＩＰアドレス及びＴＥＩＤ）を含む。交換局ＭＭＥは、第１基地局ｅＮＢからPath Switch Requestメッセージを受信すると、そのPath Switch Requestメッセージをゲートウェイ装置ＧＷに送信する（S300）。
【００５５】
ゲートウェイ装置ＧＷは、受信したPath Switch Requestメッセージに基づいて、ゲートウェイ装置ＧＷを１つの端点として確立されているＵプレーン経路が第２基地局ＰｈＮＢを経由するように、第２基地局ＰｈＮＢの識別情報を用いて自装置の設定を変更した後、Path Switch Request Ackメッセージ（経路変更要求確認応答メッセージ）を交換局ＭＭＥに送信する（S320）。交換局ＭＭＥは、ゲートウェイ装置ＧＷからPath Switch Request Ackメッセージを受信すると、そのPath Switch Request Ackメッセージを第１基地局ｅＮＢに送信する（S340）。
なお、第１基地局ｅＮＢは、Path Switch Request Ackメッセージを受信すると、必要に応じて、第１基地局ｅＮＢを介して確立されていたＵプレーン経路に関するコンテキスト情報を削除してもよい。すなわち、第１基地局ｅＮＢは、Path Switch Request Ackメッセージの受信後、ユーザ装置ＵＥの通信のために確保していた通信リソースを解放してもよい。ただし、本実施形態のハンドオーバを実行した後、後述する第３実施形態（特に、実施形態自体および第１変形例）でのハンドオーバを実行する場合には、以上のコンテキスト情報が必要になるときがある。そのため、第１基地局ｅＮＢは、本実施形態のハンドオーバ後も以上のコンテキスト情報を削除せずに保持すると好適である。
【００５６】
以上に説明した通り、本実施形態のハンドオーバ動作では、通常のハンドオーバ動作とは異なり、ソース基地局である第１基地局ｅＮＢがRRC Connection Reconfigurationメッセージを送信し、同じ第１基地局ｅＮＢがRRC Connection Reconfiguration Completeメッセージを受信する。また、ターゲット基地局である第２基地局ＰｈＮＢではなく、ソース基地局である第１基地局ｅＮＢがPath Switch Requestメッセージを送信する。
【００５７】
１（５）．  本実施形態のハンドオーバの変形例
ユーザ装置ＵＥが第１基地局ｅＮＢから第２基地局ＰｈＮＢへとハンドオーバする以上の構成において、図５のように、ターゲット基地局である第２基地局ＰｈＮＢがPath Switch Requestメッセージを送信する構成も採用可能である。
【００５８】
図５の例では、第２基地局ＰｈＮＢへの無線ベアラＲＢの確立が完了すると（S260）、第１基地局ｅＮＢは、Path Reconfiguration Requestメッセージを第２基地局ＰｈＮＢに送信する（S270）。Path Reconfiguration Requestメッセージを受信した第２基地局ＰｈＮＢは、自局の識別情報を含むPath Switch Requestメッセージを交換局ＭＭＥに送信する。ゲートウェイ装置ＧＷへのPath Switch Requestメッセージの送信（S300）から交換局ＭＭＥへのPath Switch Request Ackメッセージの送信（S320）までは前述と同様である。交換局ＭＭＥは、ゲートウェイ装置ＧＷからPath Switch Request Ackメッセージを受信すると、そのPath Switch Request Ackメッセージを第２基地局ＰｈＮＢに送信する（S340）。第２基地局ＰｈＮＢは、Path Reconfiguration Completeメッセージを第１基地局ｅＮＢに送信する（S350）。
なお、第１基地局ｅＮＢは、Path Reconfiguration Completeメッセージを受信すると、前述と同様に、必要に応じて、第１基地局ｅＮＢを介して確立されていたＵプレーン経路に関するコンテキスト情報を削除してもよい。第１基地局ｅＮＢが以上のコンテキスト情報を保持すると好適であることも、前述と同様である。
【００５９】
なお、第２基地局ＰｈＮＢが、Context Releaseメッセージを第１基地局ｅＮＢに送信せず、第１基地局ｅＮＢが、第２基地局ＰｈＮＢから受信したPath Reconfiguration Completeメッセージに基づいてコンテキスト情報を削除する構成も採用可能である。その場合、Path Reconfiguration Completeメッセージが、Context Releaseメッセージによって送信されるべき情報の全部又は一部を含むと好適である。
【００６０】
以上のハンドオーバ動作では、通常のハンドオーバ動作とは異なり、ソース基地局である第１基地局ｅＮＢがRRC Connection Reconfigurationメッセージを送信し、同じ第１基地局ｅＮＢがRRC Connection Reconfiguration Completeメッセージを受信する。また、ソース基地局である第１基地局ｅＮＢが、Path Reconfiguration Requestメッセージを第２基地局ＰｈＮＢに送信してPath Switch Requestメッセージを送信させる。
【００６１】
１（６）．  各要素の構成
１（６）−１．  ユーザ装置の構成
図６は、本実施形態に係るユーザ装置ＵＥの構成を示すブロック図である。ユーザ装置ＵＥは、無線通信部１１０と制御部１２０と記憶部１３０とを備える。音声・映像等を出力する出力装置およびユーザからの指示を受け付ける入力装置等の図示は便宜的に省略されている。
【００６２】
無線通信部１１０は、各基地局（第１基地局ｅＮＢ、第２基地局ＰｈＮＢ）と無線通信を実行するための要素であり、送受信アンテナと、無線信号（電波）を受信して電気信号に変換する受信回路と、制御信号、データ信号等の電気信号を無線信号に変換して送信する送信回路とを含む。記憶部１３０は、通信制御に関する情報、特に自局を含む各ノードの識別情報および通信経路（Ｃプレーン経路、Ｕプレーン経路）のコンテキスト情報を記憶する。
【００６３】
制御部１２０は、通信制御部１２２とデータ送受信部１２４とを備える。通信制御部１２２は、ユーザ装置ＵＥと各基地局（第１基地局ｅＮＢ、第２基地局ＰｈＮＢ）との通信を制御する要素であり、無線通信部１１０を介して各基地局と制御信号（制御メッセージ）を送受信する。すなわち、通信制御部１２２はＣプレーン上の通信を実行する。例えば、通信制御部１２２は、前述のように、受信したRRC Connection Reconfiguration Requestメッセージに基づいて、新たな接続先基地局に対して無線ベアラＲＢを確立するように無線通信部１１０及びデータ送受信部１２４を設定した後、RRC Connection Reconfiguration Completeメッセージを送信する。また、通信制御部１２２は、各基地局から受信した電波の受信電力を測定し、受信電力を示す情報を搭載したMeasurement Reportメッセージを生成して、第１基地局ｅＮＢに送信する。データ送受信部１２４は、確立されたベアラを用いて、無線通信部１１０を介して各基地局とデータ信号を送受信する。すなわち、データ送受信部１２４はＵプレーン上の通信を実行する。
【００６４】
制御部１２０並びに制御部１２０に含まれる通信制御部１２２及びデータ送受信部１２４は、ユーザ装置ＵＥ内の不図示のＣＰＵ（Central Processing Unit）が、不図示の記憶部に記憶されたコンピュータプログラムを実行し、そのコンピュータプログラムに従って機能することにより実現される機能ブロックである。
【００６５】
１（６）−２．  第１基地局の構成
図７は、本実施形態に係る第１基地局ｅＮＢの構成を示すブロック図である。第１基地局ｅＮＢは、無線通信部２１０とネットワーク通信部２２０と制御部２３０と記憶部２４０とを備える。無線通信部２１０は、ユーザ装置ＵＥと無線通信を実行するための要素であり、ユーザ装置ＵＥの無線通信部１１０と同様の構成を有する。ネットワーク通信部２２０は、ネットワークＮＷ内の他のノード（第２基地局ＰｈＮＢ、交換局ＭＭＥ、ゲートウェイ装置ＧＷ等）と通信を実行するための要素であり、有線または無線で他のノードと電気信号を送受信する。記憶部２４０は、通信制御に関する情報、特に自局を含む各ノードの識別情報および通信経路（Ｃプレーン経路、Ｕプレーン経路）のコンテキスト情報を記憶する。
【００６６】
制御部２３０は、通信制御部２３２とデータ送受信部２３４とを備える。通信制御部２３２は、自らの判断または上位ノード（交換局ＭＭＥ等）からの指示（制御信号）に基づいてユーザ装置ＵＥとの通信を制御する要素であり、ネットワーク通信部２２０を介して第２基地局ＰｈＮＢおよび交換局ＭＭＥと制御信号（Path Switch Requestメッセージ等）を送受信するとともに、無線通信部２１０を介してユーザ装置ＵＥと制御信号を送受信する。すなわち、通信制御部２３２は、ネットワーク通信部２２０を介してＣプレーン上の通信を実行する。例えば、通信制御部２３２は、前述のように、ユーザ装置ＵＥから受信したMeasurement Reportメッセージに基づいて、ユーザ装置ＵＥのハンドオーバを判定する。また、通信制御部２３２は、RRC Connection Reconfigurationメッセージをユーザ装置ＵＥに送信して、ユーザ装置ＵＥの無線リソース制御（無線ベアラＲＢの確立等）を実行する。データ送受信部２３４は、確立されたベアラを用いて、無線通信部２１０を介してユーザ装置ＵＥとユーザ信号を送受信（中継）すると共に、ネットワーク通信部２２０を介してゲートウェイ装置ＧＷとユーザ信号を送受信（中継）する。すなわち、データ送受信部２３４はＵプレーン上の通信を実行する。
【００６７】
制御部２３０並びに制御部２３０に含まれる通信制御部２３２及びデータ送受信部２３４は、第１基地局ｅＮＢ内の不図示のＣＰＵが、記憶部２４０に記憶されたコンピュータプログラムを実行し、そのコンピュータプログラムに従って機能することにより実現される機能ブロックである。
【００６８】
１（６）−３．  第２基地局の構成
図８は、本実施形態に係る第２基地局ＰｈＮＢの構成を示すブロック図である。第２基地局ＰｈＮＢは、無線通信部３１０とネットワーク通信部３２０と制御部３３０と記憶部３４０とを備える。無線通信部３１０は、ユーザ装置ＵＥと無線通信を実行するための要素であり、第１基地局ｅＮＢの無線通信部２１０と同様の構成を有する。ネットワーク通信部３２０は、第１基地局ｅＮＢと通信を実行するための要素であり、有線または無線で第１基地局ｅＮＢと電気信号を送受信する。なお、第２基地局ＰｈＮＢと交換局ＭＭＥとが接続される図２の構成においては、ネットワーク通信部３２０が更に交換局ＭＭＥと電気信号を送受信する。記憶部３４０は、通信制御に関する情報、特に自局を含む各ノードの識別情報および通信経路のコンテキスト情報を記憶する。
【００６９】
制御部３３０は、通信処理部３３２とデータ送受信部３３４とを備える。通信処理部３３２は、上位ノード（第１基地局ｅＮＢ）からの指示（制御信号）に応答するための要素であり、ネットワーク通信部３２０を介して第１基地局ｅＮＢと制御信号を送受信する。すなわち、通信処理部３３２は、ネットワーク通信部３２０を介してＣプレーン上の通信を実行する。例えば、通信処理部３３２は、前述のように、第１基地局ｅＮＢからHandover Requestメッセージを受信して、ユーザ装置ＵＥが収容可能かを判定した後、Handover Request Ackメッセージを第１基地局ｅＮＢに送信する。なお、通信処理部３３２は、ユーザ装置ＵＥの無線リソース制御を実行しない。データ送受信部３３４は、確立されたベアラを用いて、無線通信部３１０を介してユーザ装置ＵＥとユーザ信号を送受信（中継）すると共に、ネットワーク通信部３２０を介してゲートウェイ装置ＧＷとユーザ信号を送受信（中継）する。すなわち、データ送受信部３３４はＵプレーン上の通信を実行する。
【００７０】
制御部３３０並びに制御部３３０に含まれる通信処理部３３２及びデータ送受信部３３４は、第２基地局ＰｈＮＢ内の不図示のＣＰＵが、記憶部３４０に記憶されたコンピュータプログラムを実行し、そのコンピュータプログラムに従って機能することにより実現される機能ブロックである。
【００７１】
１（６）−４．  交換局の構成
図９は、本実施形態に係る交換局ＭＭＥの構成を示すブロック図である。交換局ＭＭＥは、ネットワーク通信部４１０と制御部４２０と記憶部４３０とを備える。ネットワーク通信部４１０は、ネットワークＮＷ内の他のノード（第１基地局ｅＮＢ、第２基地局ＰｈＮＢ、ゲートウェイ装置ＧＷ等）と通信を実行するための要素であり、第１基地局ｅＮＢのネットワーク通信部２２０と同様の構成を有する。記憶部４３０は、通信制御に関する情報、特に自局を含む各ノードの識別情報および通信経路（Ｃプレーン経路、Ｕプレーン経路）のコンテキスト情報を記憶する。
【００７２】
制御部４２０は、通信制御部として機能する。制御部４２０は、無線通信システムＣＳの通信制御を実行する要素であり、第１基地局ｅＮＢ、第２基地局ＰｈＮＢ、及びゲートウェイ装置ＧＷ等とネットワーク通信部４１０を介して制御信号（Path Switch Requestメッセージ等）を送受信する。すなわち、制御部４２０は、ネットワーク通信部４１０を介してＣプレーン上の通信を実行して、論理的な通信経路（Ｃプレーン経路、Ｕプレーン経路）を制御（確立および経路変更等）する。例えば、制御部４２０は、前述のように、第１基地局ｅＮＢから受信したPath Switch Requestメッセージに基づいて、ゲートウェイ装置ＧＷにPath Switch Requestメッセージを送信する。なお、交換局ＭＭＥ（制御部４２０）は、Ｃプレーン上の通信を実行し、Ｕプレーン上の通信を実行しない。
【００７３】
制御部４２０は、交換局ＭＭＥ内の不図示のＣＰＵが、記憶部４３０に記憶されたコンピュータプログラムを実行し、そのコンピュータプログラムに従って機能することにより実現される機能ブロックである。
【００７４】
１（６）−５．  ゲートウェイ装置の構成
図１０は、本実施形態に係るゲートウェイ装置ＧＷの構成を示すブロック図である。ゲートウェイ装置ＧＷは、ネットワーク通信部５１０と外部ネットワーク通信部５２０と制御部５３０と記憶部５４０とを備える。ネットワーク通信部５１０は、ネットワークＮＷ内の他のノード（第１基地局ｅＮＢ、第２基地局ＰｈＮＢ、交換局ＭＭＥ等）と通信を実行するための要素であり、第１基地局ｅＮＢのネットワーク通信部２２０と同様の構成を有する。外部ネットワーク通信部５２０は、インターネットＩＮと通信を実行するための要素であり、必要に応じてユーザ信号のプロトコル変換を実行する。記憶部５４０は、通信制御に関する情報、特に自局を含む各ノードの識別情報および通信経路（Ｃプレーン経路、Ｕプレーン経路）のコンテキスト情報を記憶する。
【００７５】
制御部５３０は、通信制御部５３２とデータ送受信部５３４とを備える。通信制御部５３２は、自らの判断または他のノード（交換局ＭＭＥ等）からの指示（制御信号）に基づいて無線通信システムＣＳの通信制御を実行する要素であり、ネットワーク通信部５１０を介して交換局ＭＭＥと制御信号を送受信する。すなわち、通信制御部５３２は、ネットワーク通信部５１０を介してＣプレーン上の通信を実行する。例えば、通信制御部５３２は、交換局ＭＭＥから受信したPath Switch Requestメッセージに基づいてＵプレーンの経路変更を実行し、Path Switch Request Ackメッセージを交換局ＭＭＥへ送信する。データ送受信部５３４は、ネットワーク通信部５１０を介して受信したユーザ装置ＵＥ発のユーザ信号を、外部ネットワーク通信部５２０を介してインターネットＩＮ（インターネットＩＮ内の外部サーバ）に送信（中継）するとともに、外部ネットワーク通信部５２０を介してインターネットＩＮ（インターネットＩＮ内の外部サーバ）から受信したユーザ信号を、ネットワーク通信部５１０を介してユーザ装置ＵＥに送信（中継）する。
【００７６】
制御部５３０並びに制御部５３０に含まれる通信制御部５３２およびデータ送受信部５３４は、ゲートウェイ装置５００内の不図示のＣＰＵが、記憶部５４０に記憶されたコンピュータプログラムを実行し、そのコンピュータプログラムに従って機能することにより実現される機能ブロックである。
【００７７】
１（７）．  本実施形態の効果
以上に説明した第１実施形態によれば、ユーザ装置ＵＥに対するRRC Connection Reconfigurationメッセージの送信およびユーザ装置ＵＥからのRRC Connection Reconfiguration Completeメッセージの受信の双方を、第１基地局ｅＮＢが実行するので、ユーザ装置ＵＥの無線リソース制御を実行しない（制御機能が限定的な）第２基地局ＰｈＮＢを経由してＵプレーン経路を確立することができる。したがって、第２基地局ＰｈＮＢをターゲット基地局としてユーザ装置ＵＥのハンドオーバを実行することが可能になる。特に、ソース基地局である第１基地局ｅＮＢがPath Switch Requestメッセージを交換局ＭＭＥに送信する構成では、第２基地局ＰｈＮＢと交換局ＭＭＥとが接続されないシステム構成であっても、第２基地局ＰｈＮＢをターゲット基地局としてユーザ装置ＵＥのハンドオーバを実行することができる。
【００７８】
第２実施形態
本発明の第２実施形態を以下に説明する。以下に例示する各実施形態において、作用、機能が第１実施形態と同等である要素については、以上の説明で参照した符号を流用して各々の説明を適宜に省略する。
【００７９】
２（１）．  本実施形態のハンドオーバ
第１実施形態では、ユーザ装置ＵＥが第１基地局ｅＮＢから第２基地局ＰｈＮＢへハンドオーバする。第２実施形態では、ユーザ装置ＵＥが第２基地局ＰｈＮＢから第１基地局ｅＮＢへハンドオーバする。以下に、図１１を参照して、本実施形態の無線通信システムＣＳにおけるハンドオーバ動作の一例を説明する。
【００８０】
本例（図１１）では、当初、Ｕプレーン経路が第２基地局ＰｈＮＢを経由してユーザ装置ＵＥとゲートウェイ装置ＧＷとに確立されていると想定する。また、第１基地局ｅＮＢとユーザ装置ＵＥとにＣプレーン経路（シグナリング無線ベアラ）が確立されていると想定する。
【００８１】
ユーザ装置ＵＥは、Ｃプレーン経路を介して第１基地局ｅＮＢにMeasurement Reportメッセージを送信する（S102）。第１基地局ｅＮＢは、受信したMeasurement Reportメッセージが示す基地局からの受信電力に基づいて、ユーザ装置ＵＥをハンドオーバさせるべきか否かを判定する（S122）。この例では、第１基地局ｅＮＢがユーザ装置ＵＥを収容可能であり、ユーザ装置ＵＥを第２基地局ＰｈＮＢから第１基地局ｅＮＢへハンドオーバさせるべきと判定されたと想定する。すなわち、第２基地局ＰｈＮＢがソース基地局であり、第１基地局ｅＮＢがターゲット基地局である。
【００８２】
ステップS122の判定後、第１基地局ｅＮＢは、ユーザ装置ＵＥを第１基地局ｅＮＢにハンドオーバさせることを要求するHandover Requestメッセージを、Ｘ３インタフェースを介して第２基地局ＰｈＮＢに送信する（S142）。Handover Requestメッセージを受信すると、第１基地局ｅＮＢは、Handover Request Ackメッセージを、Ｘ３インタフェースを介して第２基地局ＰｈＮＢに送信する（S162）。
【００８３】
Handover Request Ackメッセージを受信すると、第１基地局ｅＮＢは、第１基地局ｅＮＢとユーザ装置ＵＥとに無線ベアラＲＢを確立することを指示するRRC Connection Reconfigurationメッセージを、Ｃプレーンについて現在接続中のユーザ装置ＵＥに送信する（S182）。第２基地局ＰｈＮＢは、SN Status Transferメッセージを第１基地局ｅＮＢに送信し（S202）、データ転送（Data Forwarding）を実行する（S222）。以上の２ステップ（S202，S222）が省略されてもよいことは、前述と同様である。
【００８４】
ユーザ装置ＵＥは、受信したRRC Connection Reconfigurationメッセージに従って、第１基地局ｅＮＢへの無線ベアラＲＢを確立するように、自装置の設定を変更する。ユーザ装置ＵＥは、第１基地局ｅＮＢへのアクセスの成功を確認すると、RRC Connection Reconfiguration Completeメッセージを第１基地局ｅＮＢに送信する（S242）。注目すべきは、従来のハンドオーバ動作と異なり、RRC Connection Reconfigurationメッセージの送信元と、RRC Connection Reconfiguration Completeメッセージの送信先とが同一（第１基地局ｅＮＢ）である点である。
【００８５】
第１基地局ｅＮＢへの無線ベアラＲＢの確立が完了すると（S262）、第１基地局ｅＮＢは、第２基地局ＰｈＮＢを経由してユーザ装置ＵＥとゲートウェイ装置ＧＷとに確立されたＵプレーン経路を第１基地局ｅＮＢを経由するように変更することを要求するPath Switch Requestメッセージを交換局ＭＭＥに送信する（S282）。Path Switch Requestメッセージは、Ｕプレーン経路の新たな経由点である自局（第１基地局ｅＮＢ）の識別情報を含む。交換局ＭＭＥは、第１基地局ｅＮＢからPath Switch Requestメッセージを受信すると、そのPath Switch Requestメッセージをゲートウェイ装置ＧＷに送信する（S302）。
【００８６】
ゲートウェイ装置ＧＷは、受信したPath Switch Requestメッセージに基づいて、ゲートウェイ装置ＧＷを１つの端点として確立されているＵプレーン経路が第１基地局ｅＮＢを経由するように、第１基地局ｅＮＢの識別情報を用いて自装置の設定を変更した後、Path Switch Request Ackメッセージを交換局ＭＭＥに送信する（S322）。交換局ＭＭＥは、ゲートウェイ装置ＧＷからPath Switch Request Ackメッセージを受信すると、そのPath Switch Request Ackメッセージを第１基地局ｅＮＢに送信する（S342）。
【００８７】
第１基地局ｅＮＢは、Path Switch Request Ackメッセージを受信すると、Context Releaseメッセージを第２基地局ＰｈＮＢに送信する（S362）。第２基地局ＰｈＮＢは、Context Releaseメッセージを受信すると、第２基地局ＰｈＮＢを介して確立されていたＵプレーン経路に関するコンテキスト情報を削除する（S382）。
【００８８】
以上のハンドオーバ動作では、通常のハンドオーバ動作とは異なり、ターゲット基地局である第１基地局ｅＮＢがRRC Connection Reconfigurationメッセージを送信し、同じ第１基地局ｅＮＢがRRC Connection Reconfiguration Completeメッセージを受信する。      
【００８９】
２（２）．  本実施形態の効果
以上に説明した第２実施形態によれば、ユーザ装置ＵＥに対するRRC Connection Reconfigurationメッセージの送信およびユーザ装置ＵＥからのRRC Connection Reconfiguration Completeメッセージの受信の双方を、第１基地局ｅＮＢが実行するので、ユーザ装置ＵＥの無線リソース制御を実行しない（制御機能が限定的な）第２基地局ＰｈＮＢを経由してＵプレーン経路を確立されている場合であっても（すなわち、第２基地局ＰｈＮＢがソース基地局であっても）、ターゲット基地局である第１基地局ｅＮＢに対してユーザ装置ＵＥをハンドオーバさせることが可能になる。
【００９０】
第３実施形態
本発明の第３実施形態を以下に説明する。第１実施形態および第２実施形態では、ハンドオーバ元基地局およびハンドオーバ先基地局のいずれかがevolved Node B（第１基地局ｅＮＢ）である。第３実施形態では、ハンドオーバ元基地局およびハンドオーバ先基地局の双方が、制御機能が限定的な基地局（第１実施形態および第２実施形態の第２基地局ＰｈＮＢ）である。
【００９１】
３（１）．  無線通信システムの構成
図１２は、本発明の第３実施形態に係る無線通信システムＣＳのブロック図である。第３実施形態の無線通信システムＣＳは、第１実施形態の無線通信システムＣＳが備える各要素に加え、第３基地局ＰｈＮＢ−Ｔを備える。第３基地局ＰｈＮＢ−Ｔの構成は、前述の第２基地局ＰｈＮＢと同様である。なお、第３基地局ＰｈＮＢ−Ｔと符号を区別するため、以降、第２基地局ＰｈＮＢに添字Ｓを付す（すなわち、以降、第２基地局ＰｈＮＢ−Ｓと表記される）。
【００９２】
第３基地局ＰｈＮＢ−Ｔは、ユーザ装置ＵＥと無線通信することが可能である。また、第３基地局ＰｈＮＢ−Ｔは、第１基地局ｅＮＢ、第２基地局ＰｈＮＢ−Ｓおよびゲートウェイ装置ＧＷと有線にて接続される。第２基地局ＰｈＮＢ−Ｓと第３基地局ＰｈＮＢ−Ｔとの間にはＸ４インタフェースが存在する。第２基地局ＰｈＮＢ−Ｓと同様、第３基地局ＰｈＮＢ−Ｔとユーザ装置ＵＥとの間にはＣプレーンのインタフェースが存在しない。
【００９３】
３（２）．  本実施形態のハンドオーバ
第３実施形態では、ユーザ装置ＵＥが第２基地局ＰｈＮＢ−Ｓから第３基地局ＰｈＮＢ−Ｔへハンドオーバする。以下に、図１３を参照して、本実施形態の無線通信システムＣＳにおけるハンドオーバ動作の一例を説明する。
【００９４】
本例（図１３）では、当初、Ｕプレーン経路が第２基地局ＰｈＮＢ−Ｓを経由してユーザ装置ＵＥとゲートウェイ装置ＧＷとに確立されていると想定する。また、第１基地局ｅＮＢとユーザ装置ＵＥとにＣプレーン経路（シグナリング無線ベアラ）が確立されていると想定する。
【００９５】
ユーザ装置ＵＥは、Ｃプレーン経路を介してＣプレーン経路を介して第１基地局ｅＮＢにMeasurement Reportメッセージを送信する（S104）。第１基地局ｅＮＢは、受信したMeasurement Reportメッセージが示す基地局（第２基地局ＰｈＮＢ−Ｓ、第３基地局ＰｈＮＢ−Ｔ等）からの受信電力に基づいて、ユーザ装置ＵＥをハンドオーバさせるべきか否かを判定する（S124）。この例では、ユーザ装置ＵＥを第２基地局ＰｈＮＢ−Ｓから第３基地局ＰｈＮＢ−Ｔへハンドオーバさせるべきと判定されたと想定する。すなわち、第２基地局ＰｈＮＢ−Ｓがソース基地局であり、第３基地局ＰｈＮＢ−Ｔがターゲット基地局である。
【００９６】
ステップS124の判定後、第１基地局ｅＮＢは、ソース基地局である第２基地局ＰｈＮＢ−Ｓの識別情報およびゲートウェイ装置ＧＷの識別情報を含み、ユーザ装置ＵＥを第２基地局ＰｈＮＢ−Ｓから第３基地局ＰｈＮＢ−Ｔへハンドオーバさせることを要求するHandover Requestメッセージを、Ｘ３インタフェースを介して第３基地局ＰｈＮＢ−Ｔに送信する（S155）。Handover Requestメッセージを受信すると、第３基地局ＰｈＮＢ−Ｔは、ユーザ装置ＵＥを収容可能であれば、Ｘ４インタフェースを介してHandover Requestメッセージを第２基地局ＰｈＮＢ−Ｓに送信する（S156）。
【００９７】
第２基地局ＰｈＮＢ−Ｓは、Handover Requestメッセージを受信すると、Ｘ４インタフェースを介してHandover Request Ackメッセージを第３基地局ＰｈＮＢ−Ｔに送信する（S157）。第３基地局ＰｈＮＢ−Ｔは、Handover Request Ackメッセージを受信すると、Ｘ３インタフェースを介してHandover Request Ackメッセージを第１基地局ｅＮＢに送信する（S158）。
【００９８】
なお、ステップS157にて送信されるHandover Request Ackメッセージは、ゲートウェイ装置ＧＷの識別情報を含んでもよい。その場合、ステップS155にて送信されるHandover Requestメッセージは、ゲートウェイ装置ＧＷの識別情報を含まなくてもよい。換言すると、ステップS155にて送信されるHandover Requestメッセージと、ステップS157にて送信されるHandover Request Ackメッセージとのいずれかがゲートウェイ装置ＧＷの識別情報を含む。結果として、第３基地局ＰｈＮＢ−Ｔにゲートウェイ装置ＧＷの識別情報が伝達される。
【００９９】
第１基地局ｅＮＢは、Handover Request Ackメッセージを受信すると、第３基地局ＰｈＮＢ−Ｔとユーザ装置ＵＥとに無線ベアラＲＢを確立することを指示するRRC Connection Reconfigurationメッセージを、Ｃプレーンについて現在接続中のユーザ装置ＵＥに送信する（S184）。第２基地局ＰｈＮＢ−Ｓは、SN Status Transferメッセージを第３基地局ＰｈＮＢ−Ｔに送信し（S204）、データ転送（Data Forwarding）を実行する（S224）。以上の２ステップ（S204，S224）が省略されてもよいことは、前述と同様である。
【０１００】
ユーザ装置ＵＥは、受信したRRC Connection Reconfigurationメッセージに従って、第３基地局ＰｈＮＢ−Ｔへの無線ベアラＲＢを確立するように、自装置の設定を変更する。ユーザ装置ＵＥは、第３基地局ＰｈＮＢ−Ｔへのアクセスの成功を確認すると、RRC Connection Reconfiguration Completeメッセージを第１基地局ｅＮＢに送信する（S244）。注目すべきは、従来のハンドオーバ動作と異なり、RRC Connection Reconfigurationメッセージの送信元と、RRC Connection Reconfiguration Completeメッセージの送信先とが同一（第１基地局ｅＮＢ）であり、かつ、ソース基地局およびターゲット基地局とは相違する点である。
【０１０１】
第３基地局ＰｈＮＢ−Ｔへの無線ベアラＲＢの確立が完了すると（S264）、第１基地局ｅＮＢは、第２基地局ＰｈＮＢ−Ｓを経由してユーザ装置ＵＥとゲートウェイ装置ＧＷとに確立されたＵプレーン経路を第３基地局ＰｈＮＢ−Ｔを経由するように変更することを要求するPath Switch Requestメッセージを交換局ＭＭＥに送信する（S284）。Path Switch Requestメッセージは、Ｕプレーン経路の新たな経由点である第３基地局ＰｈＮＢ−Ｔの識別情報を含む。交換局ＭＭＥは、第１基地局ｅＮＢからPath Switch Requestメッセージを受信すると、そのPath Switch Requestメッセージをゲートウェイ装置ＧＷに送信する（S304）。
【０１０２】
ゲートウェイ装置ＧＷは、受信したPath Switch Requestメッセージに基づいて、ゲートウェイ装置ＧＷを１つの端点として確立されているＵプレーン経路が第３基地局ＰｈＮＢ−Ｔを経由するように、第３基地局ＰｈＮＢ−Ｔの識別情報を用いて自装置の設定を変更した後、Path Switch Request Ackメッセージを交換局ＭＭＥに送信する（S324）。交換局ＭＭＥは、ゲートウェイ装置ＧＷからPath Switch Request Ackメッセージを受信すると、そのPath Switch Request Ackメッセージを第１基地局ｅＮＢに送信する（S344）。
【０１０３】
第１基地局ｅＮＢは、Path Switch Request Ackメッセージを受信すると、Context Releaseメッセージを第２基地局ＰｈＮＢ−Ｓに送信する（S364）。第２基地局ＰｈＮＢ−Ｓは、Context Releaseメッセージを受信すると、第２基地局ＰｈＮＢ−Ｓを介して確立されていたＵプレーン経路に関するコンテキスト情報を削除する（S384）。
【０１０４】
以上のハンドオーバ動作では、通常のハンドオーバ動作とは異なり、ソース基地局でもターゲット基地局でもない第１基地局ｅＮＢが、ターゲット基地局である第３基地局ＰｈＮＢ−ＴにHandover Requestメッセージを送信する。また、そのような第１基地局ｅＮＢがRRC Connection Reconfigurationメッセージを送信し、同じ第１基地局ｅＮＢがRRC Connection Reconfiguration Completeメッセージを受信する。さらに、そのような第１基地局ｅＮＢが交換局ＭＭＥにPath Switch Requestメッセージを送信する。
【０１０５】
３（３）．  本実施形態のハンドオーバの第１変形例
ユーザ装置ＵＥが第２基地局ＰｈＮＢ−Ｓから第３基地局ＰｈＮＢ−Ｔへハンドオーバする以上の構成において、第１基地局ｅＮＢが、第２基地局ＰｈＮＢ−Ｓおよび第３基地局ＰｈＮＢ−Ｔに対し、それぞれHandover Requestメッセージを送信してもよい。
【０１０６】
より具体的には、図１４に示すように、ステップS124の判定後、第１基地局ｅＮＢは、ソース基地局である第２基地局ＰｈＮＢ−Ｓの識別情報およびゲートウェイ装置ＧＷの識別情報を含み、ユーザ装置ＵＥを第２基地局ＰｈＮＢ−Ｓから第３基地局ＰｈＮＢ−Ｔへハンドオーバさせることを要求するHandover Requestメッセージを、Ｘ３インタフェースを介して第３基地局ＰｈＮＢ−Ｔに送信する（S165）。Handover Requestメッセージを受信すると、第３基地局ＰｈＮＢ−Ｔは、ユーザ装置ＵＥを収容可能であれば、Ｘ３インタフェースを介してHandover Request Ackメッセージを第１基地局ｅＮＢに送信する（S166）。第１基地局ｅＮＢは、第３基地局ＰｈＮＢ−ＴからのHandover Request Ackメッセージを受信すると、ターゲット基地局である第３基地局ＰｈＮＢ−Ｔの識別情報を含み、ユーザ装置ＵＥを第２基地局ＰｈＮＢ−Ｓから第３基地局ＰｈＮＢ−Ｔへハンドオーバさせることを要求するHandover Requestメッセージを、Ｘ３インタフェースを介して第２基地局ＰｈＮＢ−Ｓに送信する（S167）。Handover Requestメッセージを受信すると、第２基地局ＰｈＮＢ−Ｓは、Ｘ３インタフェースを介してHandover Request Ackメッセージを第１基地局ｅＮＢに送信する（S168）。以上に説明した動作以外は、前述の第３実施形態の動作と同様である。
【０１０７】
なお、第１変形例の構成においては、第２基地局ＰｈＮＢ−Ｓと第３基地局ＰｈＮＢ−Ｔとが相互に制御信号を送受信しなくてもよいので、第２基地局ＰｈＮＢ−Ｓと第３基地局ＰｈＮＢ−Ｔとの接続（Ｘ４インタフェース）が無くてもよい。以上の場合、SN Status Transferメッセージの送信（S204）及びデータ転送（Data Forwarding）の実行（S224）は、省略されるか、第１基地局ｅＮＢを経由して行われる。
【０１０８】
３（４）．  本実施形態のハンドオーバの第２変形例
ユーザ装置ＵＥが第２基地局ＰｈＮＢ−Ｓから第３基地局ＰｈＮＢ−Ｔへハンドオーバする以上の構成において、第１基地局ｅＮＢが、第２基地局ＰｈＮＢ−Ｓに対しHandover Requestメッセージを送信してもよい。
【０１０９】
より具体的には、図１５に示すように、ステップS124の判定後、第１基地局ｅＮＢは、ターゲット基地局である第３基地局ＰｈＮＢ−Ｔの識別情報を含み、ユーザ装置ＵＥを第２基地局ＰｈＮＢ−Ｓから第３基地局ＰｈＮＢ−Ｔへハンドオーバさせることを要求するHandover Requestメッセージを、Ｘ３インタフェースを介して第２基地局ＰｈＮＢ−Ｓに送信する（S175）。Handover Requestメッセージを受信すると、第２基地局ＰｈＮＢ−Ｓは、ゲートウェイ装置ＧＷの識別情報を含むHandover Requestメッセージを、Ｘ４インタフェースを介して第３基地局ＰｈＮＢ−Ｔに送信する（S176）。第３基地局ＰｈＮＢ−Ｔは、Handover Requestメッセージを受信すると、ユーザ装置ＵＥを収容可能であれば、Ｘ４インタフェースを介してHandover Request Ackメッセージを第２基地局ＰｈＮＢ−Ｓに送信する（S177）。第２基地局ＰｈＮＢ−Ｓは、Handover Request Ackメッセージを受信すると、Ｘ３インタフェースを介してHandover Request Ackメッセージを第１基地局ｅＮＢに送信する（S178）。以上に説明した動作以外は、前述の第３実施形態の動作と同様である。
【０１１０】
なお、第２変形例のステップS176で、第３基地局ＰｈＮＢ−Ｔが、Handover Requestメッセージを受信した後に、ユーザ装置ＵＥを収容不可能であると判定した場合には、第３基地局ＰｈＮＢ−Ｔへのハンドオーバが不可能であることを示すHandover Preparation Failureメッセージが第３基地局ＰｈＮＢ−Ｔから第２基地局ＰｈＮＢ−Ｓを経由して第１基地局ｅＮＢへ送信された後、再度ステップS104のMeasurement Report受信からハンドオーバ手順が繰り返されることとなる。結果として、第２変形例の構成によると、ハンドオーバ動作によるオーバヘッドが過大となる可能性がある。そこで、第２変形例のハンドオーバ判定（S124）において、Measurement Reportメッセージに含まれる複数の基地局ＰｈＮＢからの受信電力に基づき、複数のターゲット基地局候補を判定して、Handover Requestメッセージに複数のターゲット基地局候補の識別情報を含めて第２基地局ＰｈＮＢ−Ｓに送信すると好適である。第２基地局ＰｈＮＢ−Ｓは、第３基地局ＰｈＮＢ−ＴからHandover Preparation Failureメッセージを受信した場合、ターゲット基地局候補に含まれる他の基地局を新たな第３基地局ＰｈＮＢ−Ｔとして、再度Handover Requestメッセージを送信すると好適である。
【０１１１】
３（５）．  本実施形態の効果
以上に説明した第３実施形態によれば、ユーザ装置ＵＥに対するRRC Connection Reconfigurationメッセージの送信およびユーザ装置ＵＥからのRRC Connection Reconfiguration Completeメッセージの受信の双方を、第１基地局ｅＮＢが実行するので、ソース基地局およびターゲット基地局の双方がユーザ装置ＵＥの無線リソース制御を実行しない（制御機能が限定的な）基地局（第２基地局ＰｈＮＢ−Ｓ、第３基地局ＰｈＮＢ−Ｔ）であっても、ハンドオーバを実行することが可能になる。
【０１１２】
本実施形態の構成によれば、第１基地局ｅＮＢが第３基地局ＰｈＮＢ−ＴにHandover Requestメッセージを送信した後は、第３基地局ＰｈＮＢ−Ｔと第２基地局ＰｈＮＢ−Ｓとで制御メッセージを送信してハンドオーバ手順が実行されるので、第１基地局ｅＮＢが個別に各基地局を制御する構成と比較して、第１基地局ｅＮＢの制御負荷がより低減される。また、ターゲット基地局である第３基地局ＰｈＮＢ−ＴにHandover Requestメッセージを送信するので、他の基地局（第２基地局ＰｈＮＢ−Ｓ等）を経由してHandover Requestメッセージを送信する構成と比較して、第３基地局ＰｈＮＢ−Ｔがユーザ装置ＵＥを収容不可能な場合であっても第１基地局ｅＮＢの制御負荷がより低く抑えられる。
【０１１３】
第１変形例の構成によれば、第１基地局ｅＮＢが第２基地局ＰｈＮＢ−Ｓおよび第３基地局ＰｈＮＢ−Ｔの各々にHandover Requestメッセージを送信するので、いずれかの基地局にHandover Requestメッセージを送信し、第１基地局ｅＮＢ以外の基地局（第２基地局ＰｈＮＢ−Ｓ、第３基地局ＰｈＮＢ−Ｔ）間で相互にハンドオーバ手順を実行する構成と比較して、第２基地局ＰｈＮＢ−Ｓおよび第３基地局ＰｈＮＢ−Ｔのオーバヘッドがより低減される。
【０１１４】
第２変形例の構成によれば、第１基地局ｅＮＢが第２基地局ＰｈＮＢ−ＳにHandover Requestメッセージを送信した後は、第２基地局ＰｈＮＢ−Ｓと第３基地局ＰｈＮＢ−Ｔとで制御メッセージを送信してハンドオーバ手順が実行されるので、上述の本実施形態の効果と同様の効果が奏される。
【０１１５】
第４実施形態
第１実施形態乃至第３実施形態では、ユーザ装置ＵＥがハンドオーバを実行する際に、制御機能が限定的な基地局（第２基地局ＰｈＮＢ、第３基地局ＰｈＮＢ−Ｔ等）を経由するＵプレーン経路が制御される。第４実施形態乃至第６実施形態では、制御機能が限定的な基地局（第２基地局ＰｈＮＢ）を経由するＵプレーン経路が確立される。無線通信システムＣＳ内の各要素の構成は、前述の実施形態（特に第１実施形態）と同様である。
【０１１６】
４（１）．  本実施形態のＵプレーン確立
図１６を参照して、第４実施形態のＵプレーン確立の動作について説明する。図１６では、当初、ユーザ装置ＵＥと第１基地局ｅＮＢとのＣプレーン経路および第１基地局ｅＮＢと交換局ＭＭＥとのＣプレーン経路が確立されている一方、Ｕプレーン経路は確立されていないと想定する。
【０１１７】
ユーザ装置ＵＥは、Ｕプレーン経路の確立を要求するメッセージ（NAS Service Requestメッセージ、PDN Connectivity Requestメッセージ等）を、Ｃプレーンについて現在接続中の第１基地局ｅＮＢを介して交換局ＭＭＥに送信する（S400）。
【０１１８】
交換局ＭＭＥは、Ｕプレーン経路の確立を要求するメッセージに応じて、Create Session Requestメッセージ（セッション確立要求メッセージ）をゲートウェイ装置ＧＷに送信する（S420）。Create Session Requestメッセージは、ゲートウェイ装置ＧＷと第２基地局ＰｈＮＢとにＵプレーンの論理経路（Ｓ１ベアラＳ１Ｂ）を確立することを要求するメッセージである。ゲートウェイ装置ＧＷは、Create Session Requestメッセージを受信すると、ゲートウェイ装置ＧＷの識別情報（ＩＰアドレス及びＴＥＩＤ）を含むCreate Session Responseメッセージ（セッション確立応答メッセージ）を交換局ＭＭＥに送信する（S440）。
【０１１９】
交換局ＭＭＥは、Create Session Responseメッセージを受信すると、ゲートウェイ装置ＧＷの識別情報を含むBearer Setup Requestメッセージ（ベアラ確立要求メッセージ）を第１基地局ｅＮＢに送信する（S460）。第１基地局ｅＮＢは、Bearer Setup Requestメッセージを受信すると、ゲートウェイ装置ＧＷの識別情報を含むInitial Context Setup Requestメッセージ（初期コンテキスト設定要求メッセージ）を、Ｘ３インタフェースを介して第２基地局ＰｈＮＢに送信する（S480）。第２基地局ＰｈＮＢは、Initial Context Setup Requestメッセージを受信すると、確立すべきＵプレーン経路の１つの端点としてゲートウェイ装置ＧＷの識別情報を記憶した後、第２基地局ＰｈＮＢの識別情報を含むInitial Context Setup Responseメッセージ（初期コンテキスト設定応答メッセージ）をＸ３インタフェースを介して第１基地局ｅＮＢに送信する（S500）。第１基地局ｅＮＢは、第２基地局ＰｈＮＢの識別情報を含むBearer Setup Responseメッセージ（ベアラ確立応答メッセージ）を交換局ＭＭＥに送信する（S520）。以上の動作により、ゲートウェイ装置ＧＷと第２基地局ＰｈＮＢとにＵプレーン経路（Ｓ１ベアラＳ１Ｂ）が確立される（S620）。
【０１２０】
続いて、交換局ＭＭＥは、Context Setup Requestメッセージ（コンテキスト設定要求メッセージ）を第１基地局ｅＮＢに送信する（S640）。第１基地局ｅＮＢは、Context Setup Requestメッセージを受信すると、第２基地局ＰｈＮＢとユーザ装置ＵＥとに無線ベアラＲＢを確立することを指示するRRC Connection Reconfigurationメッセージ（無線接続再設定メッセージ）をユーザ装置ＵＥに送信する（S660）。RRC Connection Reconfigurationメッセージには、ユーザ装置ＵＥが第２基地局ＰｈＮＢと無線接続するのに必要なパラメータ（例えば、第２基地局ＰｈＮＢの識別情報）が含まれる。
【０１２１】
ユーザ装置ＵＥは、受信したRRC Connection Reconfigurationメッセージに従って、第２基地局ＰｈＮＢへの無線ベアラＲＢを確立するように、自装置の設定を変更する。ユーザ装置ＵＥは、第２基地局ＰｈＮＢへのアクセスの成功を確認すると、RRC Connection Reconfiguration Completeメッセージ（無線接続再設定完了メッセージ）を第１基地局ｅＮＢに送信する（S680）。注目すべきは、確立されるべきＵプレーン経路上に位置しない第１基地局ｅＮＢがRRC Connection Reconfigurationメッセージを送信し、RRC Connection Reconfiguration Completeメッセージを受信する点である。第１基地局ｅＮＢは、RRC Connection Reconfiguration Completeメッセージを受信すると、Context Setup Completeメッセージ（コンテキスト設定完了メッセージ）を交換局ＭＭＥに送信する（S700）。
【０１２２】
（４）２．  本実施形態の効果
以上に説明した第４実施形態によれば、Ｕプレーン経路確立動作において、交換局ＭＭＥからBearer Setup Requestメッセージを受信した第１基地局ｅＮＢが、第２基地局ＰｈＮＢを経由してＵプレーン経路が確立されるように第２基地局ＰｈＮＢおよびユーザ装置ＵＥを制御する。したがって、ユーザ装置ＵＥの無線リソース制御を実行しない第２基地局ＰｈＮＢを経由してＵプレーン経路が確立され得る。
【０１２３】
第５実施形態
５（１）．  本実施形態のＵプレーン確立
図１７を参照して、第５実施形態のＵプレーン確立の動作について説明する。図１７では、図１６と同様に、当初、ユーザ装置ＵＥと第１基地局ｅＮＢとのＣプレーン経路および第１基地局ｅＮＢと交換局ＭＭＥとのＣプレーン経路が確立されている一方、Ｕプレーン経路は確立されていないと想定する。図１７のステップS402からS442は、図１６のステップS400からS440と同様である。
【０１２４】
交換局ＭＭＥは、ゲートウェイ装置ＧＷからCreate Session Responseメッセージを受信すると、ゲートウェイ装置ＧＷの識別情報を含むBearer Setup Requestメッセージを第１基地局ｅＮＢに送信する（S462）。第１基地局ｅＮＢは、Bearer Setup Requestメッセージを受信すると、ゲートウェイ装置ＧＷの識別情報を含むHandover Requestメッセージ（ハンドオーバ要求メッセージ）をＸ３インタフェースを介して第２基地局ＰｈＮＢに送信する（S482）。第２基地局ＰｈＮＢは、Handover Requestメッセージを受信すると、Handover Request Ackメッセージ（ハンドオーバ要求確認応答メッセージ）をＸ３インタフェースを介して第１基地局ｅＮＢに送信する（S502）。第１基地局ｅＮＢは、Handover Request Ackメッセージを受信すると、第１基地局ｅＮＢの識別情報を含むBearer Setup Responseメッセージ（ベアラ確立応答メッセージ）を交換局ＭＭＥに送信し（S522）、Path Switch Requestメッセージ（経路変更要求メッセージ）を交換局ＭＭＥに送信する（S542）。Path Switch Requestメッセージは、第２基地局ＰｈＮＢを経由してユーザ装置ＵＥとゲートウェイ装置ＧＷとにＵプレーン経路を確立することを要求するメッセージである。
【０１２５】
交換局ＭＭＥは、Path Switch Requestメッセージを受信すると、ゲートウェイ装置ＧＷにPath Switch Requestメッセージを送信する（S562）。ゲートウェイ装置ＧＷは、交換局ＭＭＥから受信したPath Switch Requestメッセージに基づいて、確立されるべきＵプレーン経路が第２基地局ＰｈＮＢを経由するようにゲートウェイ装置ＧＷを設定した後、Path Switch Request Ackメッセージ（経路変更要求確認応答メッセージ）を交換局ＭＭＥに送信する（S582）。交換局ＭＭＥは、Path Switch Request Ackメッセージを受信すると、第１基地局ｅＮＢにPath Switch Request Ackメッセージを送信する。
以上の動作により、ゲートウェイ装置ＧＷと第２基地局ＰｈＮＢとにＵプレーン経路（Ｓ１ベアラＳ１Ｂ）が確立される（S622）。ステップS642からS702は、図１６のステップS640からS700と同様である。
【０１２６】
なお、以上のステップS482で送信されるHandover Requestメッセージは、Initial Context Setupメッセージであってもよい。また、以上のステップS502で送信されるHandover Request Ackメッセージは、Initial Context Setup Responseメッセージであってもよい。
【０１２７】
（５）２．  本実施形態のＵプレーン確立の変形例
以上の実施形態（図１７）では、第１基地局ｅＮＢがPath Switch Requestメッセージを送信する。図１８に示すように、第２基地局ＰｈＮＢがath Switch Requestメッセージを送信する構成も採用可能である。この変形例（図１８）において、ステップS402からS502、およびステップS622からS702は、図１７の実施形態のステップS402からS502、およびステップS642からS702と同様である。また、この変形例においては、交換局ＭＭＥと第２基地局ＰｈＮＢとの間にＣプレーンのインタフェース（Ｓ１−ＭＭＥインタフェース）が存在する図２の無線通信システムＣＳの構成が採用される。
【０１２８】
第２基地局ＰｈＮＢは、ステップS502で、Handover Request Ackメッセージを第１基地局ｅＮＢに送信すると、第１基地局ｅＮＢの識別情報を含むPath Switch RequestメッセージをＳ１−ＭＭＥインタフェースを介して交換局ＭＭＥに送信する（S544）。Path Switch Requestメッセージは、第２基地局ＰｈＮＢを経由してユーザ装置ＵＥとゲートウェイ装置ＧＷとにＵプレーン経路を確立することを要求するメッセージである。交換局ＭＭＥは、Path Switch Requestメッセージを受信すると、ゲートウェイ装置ＧＷにPath Switch Requestメッセージを送信する（S564）。ゲートウェイ装置ＧＷは、交換局ＭＭＥから受信したPath Switch Requestメッセージに基づいて、確立されるべきＵプレーン経路が第２基地局ＰｈＮＢを経由するようにゲートウェイ装置ＧＷを設定した後、Path Switch Request Ackメッセージを交換局ＭＭＥに送信する（S584）。交換局ＭＭＥは、Path Switch Request Ackメッセージを受信すると、第２基地局ＰｈＮＢにPath Switch Request Ackメッセージを送信する。以上の動作により、ゲートウェイ装置ＧＷと第２基地局ＰｈＮＢとにＵプレーン経路（Ｓ１ベアラＳ１Ｂ）が確立される（S624）。
【０１２９】
（５）３．  本実施形態の効果
以上に説明した第５実施形態によれば、Ｕプレーン経路確立動作において、交換局ＭＭＥからBearer Setup Requestメッセージを受信した第１基地局ｅＮＢが、第２基地局ＰｈＮＢを経由してＵプレーン経路が確立されるように第２基地局ＰｈＮＢおよびユーザ装置ＵＥを制御する。また、第１基地局ｅＮＢまたは第２基地局ＰｈＮＢが、ゲートウェイ装置ＧＷに経路変更を要求する。したがって、ユーザ装置ＵＥの無線リソース制御を実行しない第２基地局ＰｈＮＢを経由してＵプレーン経路が確立され得る。
【０１３０】
第６実施形態
６（１）．  本実施形態のＵプレーン確立
図１９を参照して、第６実施形態のＵプレーン確立の動作について説明する。図１９では、図１６等と同様に、当初、ユーザ装置ＵＥと第１基地局ｅＮＢとのＣプレーン経路および第１基地局ｅＮＢと交換局ＭＭＥとのＣプレーン経路が確立されている一方、Ｕプレーン経路は確立されていないと想定する。第６実施形態においては、交換局ＭＭＥと第２基地局ＰｈＮＢとの間にＣプレーンのインタフェース（Ｓ１−ＭＭＥインタフェース）が存在する図２の無線通信システムＣＳの構成が採用される。図１９のステップS406からS446は、図１６のステップS400からS440と同様である。
【０１３１】
交換局ＭＭＥは、ゲートウェイ装置ＧＷからCreate Session Responseメッセージを受信すると、ゲートウェイ装置ＧＷの識別情報を含むBearer Setup Requestメッセージを第１基地局ｅＮＢに送信する（S466）。第１基地局ｅＮＢは、Bearer Setup Requestメッセージを受信すると、第２基地局ＰｈＮＢの識別情報を含むBearer Redirectメッセージ（ベアラリダイレクトメッセージ）を交換局ＭＭＥに送信する（S470）。Bearer Redirectメッセージは、第２基地局ＰｈＮＢを経由してユーザ装置ＵＥとゲートウェイ装置ＧＷとにＵプレーン経路を確立することを指示するメッセージである。
【０１３２】
交換局ＭＭＥは、Bearer Redirectメッセージを受信すると、ゲートウェイ装置ＧＷの識別情報を含むInitial Context Setup Requestメッセージを第２基地局ＰｈＮＢに送信する（S486）。第２基地局ＰｈＮＢは、Initial Context Setup Requestメッセージを受信すると、確立すべきＵプレーン経路の１つの端点としてゲートウェイ装置ＧＷの識別情報を記憶した後、第２基地局ＰｈＮＢの識別情報を含むInitial Context Setup Responseメッセージを交換局ＭＭＥに送信する（S506）。以上の動作により、ゲートウェイ装置ＧＷと第２基地局ＰｈＮＢとにＵプレーン経路（Ｓ１ベアラＳ１Ｂ）が確立される（S626）。ステップS646からS706は、図１６のステップS640からS700と同様である。
【０１３３】
（６）２．  本実施形態の効果
以上に説明した第６実施形態によれば、Ｕプレーン経路確立動作において、交換局ＭＭＥからBearer Setup Requestメッセージを受信した第１基地局ｅＮＢが、第２基地局ＰｈＮＢを経由してＵプレーン経路が確立されるように交換局ＭＭＥを制御し、交換局ＭＭＥが第２基地局ＰｈＮＢおよびユーザ装置ＵＥを制御してＵプレーン経路を確立する。したがって、ユーザ装置ＵＥの無線リソース制御を実行しない第２基地局ＰｈＮＢを経由してＵプレーン経路が確立され得る。
【０１３４】
変形例
以上の実施の形態は多様に変形される。具体的な変形の態様を以下に例示する。以上の実施の形態および以下の例示から任意に選択された２以上の態様は、相互に矛盾しない限り適宜に併合され得る。
【０１３５】
７（１）．  変形例１
以上の実施形態では１つのＵプレーン経路（ＥＰＳベアラ）の経路変更が実行される。以上の経路変更は、２つ以上のＵプレーン経路が確立されている場合に、そのうち１つのＵプレーン経路を経路変更する際にも適用可能である。例えば、第１基地局ｅＮＢを経由して２つのＵプレーン経路が確立されている場合に、そのうちの１つのＵプレーン経路のみを第２基地局ＰｈＮＢを経由するように経路変更する際にも、以上の実施形態の経路変更を適用することが可能である。また、第１基地局ｅＮＢを経由して１つのＵプレーン経路が確立され、第２基地局ＰｈＮＢを経由してもう１つのＵプレーン経路が確立されている場合に、第２基地局ＰｈＮＢを経由するＵプレーン経路を第１基地局ｅＮＢを経由するように経路変更する際にも、以上の実施形態の経路変更を適用することが可能である。
また、以上の実施形態では、１つのＵプレーン経路（ＥＰＳベアラ）の確立が実行される。以上のＵプレーン経路確立は、既に１つ以上のＵプレーン経路が確立されている場合に、新たに別のＵプレーン経路を確立する際にも適用可能である。例えば、第１基地局ｅＮＢを介して１つのＵプレーン経路が確立されている場合に、第２基地局ＰｈＮＢを介して新たなＵプレーン経路を確立する際にも適用可能である。
【０１３６】
７（２）．  変形例２
第１実施形態乃至第３実施形態では、Measurement Reportメッセージ（基地局からの受信電力（受信品質））に基づくハンドオーバ判定を契機として、Ｕプレーン経路の経路変更がトリガされる。しかし、Ｕプレーン経路の経路変更は、任意の適切な契機によってトリガされ得る。例えば、Ｕプレーン経路が経由するネットワークＮＷ内のノードの輻輳を契機として、輻輳ノードを避けるようにＵプレーン経路が経路変更されてもよい。
【０１３７】
７（３）．  変形例３
以上の実施形態では、通信制御部（１２２，２３２，４２０，５３２）および通信処理部３３２が制御する論理経路はベアラである。しかし、通信制御部（１２２，２３２，４２０，５３２）および通信処理部３３２が、他の論理経路、例えばＩＰ（Internet Protocol）レベルのセッションを制御してもよい。
【０１３８】
７（４）．  変形例４
以上の実施形態では、各基地局がその周囲に形成するセルＣ（電波が有効に到達する範囲）の大きさは任意である。例えば、第１基地局ｅＮＢの無線送信能力（平均送信電力、最大送信電力等）が第２基地局ＰｈＮＢの無線送信能力と比較して大きく、第１基地局ｅＮＢが形成するセル（マクロセルＣ１）の大きさが第２基地局ＰｈＮＢが形成するセル（スモールセルＣ２）の大きさを上回る構成が採用され得る。以上の構成においては、例えば、図２０に示すように、スモールセルＣ２がマクロセルＣ１の内部に重層的に形成される（オーバレイされる）と好適である（作図の便宜上、マクロセルＣ１が示される平面とスモールセルＣ２が示される平面とが相違しているが、実際には、同一の平面（地表等）上にマクロセルＣ１とスモールセルＣ２とが重畳され得る）。一方で、第１基地局ｅＮＢと第２基地局ＰｈＮＢとが略同一の大きさのセルＣを形成する構成も採用可能である。
【０１３９】
７（５）．  変形例５
以上の実施形態では、基地局（第１基地局ｅＮＢ、第２基地局ＰｈＮＢ（ＰｈＮＢ−Ｓ）、第３基地局ＰｈＮＢ−Ｔ）間にＵプレーン経路が存在する。しかし、ハンドオーバ時に基地局間のデータ転送（Data Forwarding）を実行しない場合には、基地局間のＵプレーン経路は無くてもよい。
【０１４０】
７（６）．  変形例６
以上の実施形態では、第２基地局ＰｈＮＢはユーザ装置ＵＥと制御信号を送受信しない。しかしながら、第２基地局ＰｈＮＢが下位レイヤ（例えば、Ｌ１レイヤ，Ｌ２レイヤ）の制御信号を送受信可能な構成も採用可能である。以上の構成においても、第２基地局ＰｈＮＢは、無線リソース制御に関する信号（ＲＲＣレイヤの制御信号）を送受信しない。第３基地局ＰｈＮＢ−Ｔについても同様である。
【０１４１】
７（７）．  変形例７
ユーザ装置ＵＥは、各基地局（第１基地局ｅＮＢ、第２基地局ＰｈＮＢ（ＰｈＮＢ−Ｓ）、第３基地局ＰｈＮＢ−Ｔ）と無線通信が可能な任意の装置である。ユーザ装置ＵＥは、例えば、フィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【０１４２】
７（８）．  変形例８
無線通信システムＣＳ内の各要素（ユーザ装置ＵＥ、第１基地局ｅＮＢ、第２基地局ＰｈＮＢ（ＰｈＮＢ−Ｓ）、第３基地局ＰｈＮＢ−Ｔ、交換局ＭＭＥ、ゲートウェイ装置ＧＷ）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【０１４３】
７（９）．  変形例９
第１基地局ｅＮＢが送信する電波の周波数帯と第２基地局ＰｈＮＢが送信する電波の周波数帯とが相違する構成も採用可能である。例えば、第１基地局ｅＮＢが第１周波数帯（例えば、２ＧＨｚ帯）を用いて無線通信し、第２基地局ＰｈＮＢが第１周波数帯より高い第２周波数帯（例えば、３．５ＧＨｚ帯）を用いて無線通信する構成を想定する。周波数が高いほど伝搬損失が大きくなることから、第２周波数帯を用いた無線通信よりも第１周波数帯を用いた無線通信の方が安定性が高い場合が多い。以上の実施形態にて説明した通り、ユーザ装置ＵＥとの制御信号の送受信（Ｃプレーンの通信）は第１基地局ｅＮＢが実行する。したがって、この変形例の構成を採用すれば、より安定性の高い第１周波数帯にて制御信号の送受信（Ｃプレーンの通信）が実行されるので、より確実なユーザ装置ＵＥの制御が実現され得る。本変形例の第２基地局ＰｈＮＢについての記載は、第３基地局ＰｈＮＢ−Ｔについても同様である。
【符号の説明】
【０１４４】
ＵＥ……ユーザ装置、１１０……無線通信部、１２０……制御部、１２２……通信制御部、１２４……データ送受信部、１３０……記憶部、ｅＮＢ……第１基地局、２１０……無線通信部、２２０……ネットワーク通信部、２３０……制御部、２３２……通信制御部、２３４……データ送受信部、２４０……記憶部、ＰｈＮＢ（ＰｈＮＢ−Ｓ）……第２基地局、ＰｈＮＢ−Ｔ……第３基地局、３１０……無線通信部、３２０……ネットワーク通信部、３３０……制御部、３３２……通信処理部、３３４……データ送受信部、３４０……記憶部、ＭＭＥ……交換局、４１０……ネットワーク通信部、４２０……制御部、４３０……記憶部、５００……ゲートウェイ装置、ＧＷ……ゲートウェイ装置、５１０……ネットワーク通信部、５２０……外部ネットワーク通信部、５３０……制御部、５３２……通信制御部、５３４……データ送受信部、５４０……記憶部、ＣＳ……無線通信システム、ｅＮＢ−Ｓ……ソース基地局、ｅＮＢ−Ｔ……ターゲット基地局、ＩＮ……インターネット、ＮＷ……ネットワーク、ＲＢ……無線ベアラ、Ｓ１Ｂ……Ｓ１ベアラ。
【図１】
2014007499.tif 000003
【図２】
2014007499.tif 000004
【図３】
2014007499.tif 000005
【図４】
2014007499.tif 000006
【図５】
2014007499.tif 000007
【図６】
2014007499.tif 000008
【図７】
2014007499.tif 000009
【図８】
2014007499.tif 000010
【図９】
2014007499.tif 000011
【図１０】
2014007499.tif 000012
【図１１】
2014007499.tif 000013
【図１２】
2014007499.tif 000014
【図１３】
2014007499.tif 000015
【図１４】
2014007499.tif 000016
【図１５】
2014007499.tif 000017
【図１６】
2014007499.tif 000018
【図１７】
2014007499.tif 000019
【図１８】
2014007499.tif 000020
【図１９】
2014007499.tif 000021
【図２０】
2014007499.tif 000022